(57)【特許請求の範囲】
【請求項１】
設定された複数の下り単位バンドのうち一部又は全てを用いて基地局と通信する端末装置であって、
前記複数の下り単位バンドの下り制御チャネルで送信された下り割当制御情報と、前記下り割当制御情報が示す下りデータチャネルで送信された下りデータと、を受信する受信手段と、
前記下りデータの受信成否に基づいて、前記複数の下り単位バンドのうち、第１の下り単位バンドに対応する第１の応答信号と、第２の下り単位バンドに対応する第２の応答信号とを含む、応答信号を生成する生成手段と、
前記第１の応答信号と、前記第２の応答信号とを別々に符号化する符号化手段と、
前記第１の応答信号と前記第２の応答信号とをそれぞれ上りデータチャネル領域内の異なる領域に、上り回線データと時間領域で多重してマッピングするマッピング手段と、
を具備し、
前記生成手段において、
前記第１の応答信号のシンボル数と、前記第２の応答信号のシンボル数とは、それぞれ独立に決定される、
端末装置。
【請求項２】
前記第１の応答信号と前記第２の応答信号のシンボル数は、前記基地局からシグナリングされて決定される、
請求項１に記載の端末装置。
【請求項３】
前記第１の応答信号と前記第２の応答信号のシンボル数は、自端末から前記基地局に送信する上り回線データの変調方式及び符号化率に基づいて決定される、
請求項１記載の端末装置。
【請求項４】
前記第１の応答信号のシンボル数は、自端末から前記基地局に送信すべき第１の応答信号のビット総数に基づいて決定され、
前記第２の応答信号のシンボル数は、自端末から前記基地局に送信すべき第２の応答信号のビット総数に基づいて決定される、
請求項３記載の端末装置。
【請求項５】
前記マッピング手段は、前記第１の応答信号を前記複数の下り単位バンドの前記下り割当制御情報の受信状況に依らず、同一の領域にマッピングする、
請求項１記載の端末装置。
【請求項６】
前記第２の下り単位バンドに対応する少なくとも１つの前記下り割当制御情報を受信した場合、
前記マッピング手段は、前記第２の応答信号を、前記端末装置に設定された前記第２の下り単位バンド数に応じて決定される領域にマッピングする、
請求項１に記載の端末装置。
【請求項７】
前記第２の下り単位バンドに対応する少なくとも１つの前記下り割当制御情報を受信した場合、
前記マッピング手段は、前記第２の応答信号を、前記基地局から前記端末装置に設定された全ての下り単位バンド数に応じて決定される領域に、マッピングする、
請求項１記載の端末装置。
【請求項８】
前記第２の下り単位バンドに対応する少なくとも１つの前記下り割当制御情報を受信した場合、
前記マッピング手段は、前記第２の応答信号を、前記第１の応答信号がマッピングされる領域に続けてマッピングする、
請求項１記載の端末装置。
【請求項９】
設定された複数の下り単位バンドのうち一部又は全てを用いて基地局と通信する端末装置における応答信号マッピング方法であって、
前記複数の下り単位バンドの下り制御チャネルで送信された下り割当制御情報と、前記下り割当制御情報が示す下りデータチャネルで送信された下りデータと、を受信し、
前記下りデータの受信成否に基づいて、前記複数の下り単位バンドのうち、第１の下り単位バンドに対応する第１の応答信号と、第２の下り単位バンドに対応する第２の応答信号とを含む応答信号を生成し、前記第１の応答信号と前記第２の応答信号のシンボル数とは、それぞれ独立に決定され、
前記第１の応答信号と、前記第２の応答信号とを別々に符号化する符号化し、
前記第１の応答信号と前記第２の応答信号とをそれぞれ上りデータチャネル領域内の異なる領域に、上り回線データと時間領域で多重してマッピングする、
応答信号マッピング方法。
【請求項１０】
前記第１の応答信号と前記第２の応答信号のシンボル数は、前記基地局からシグナリングされて決定される、
請求項９に記載の応答信号マッピング方法。
【請求項１１】
前記第１の応答信号と前記第２の応答信号のシンボル数は、前記端末装置から前記基地局に送信する上り回線データの変調方式及び符号化率に基づいて決定される、
請求項９記載の応答信号マッピング方法。
【請求項１２】
前記第１の応答信号のシンボル数は、前記端末装置から前記基地局に送信すべき第１の応答信号のビット総数に基づいて決定され、
前記第２の応答信号のシンボル数は、前記端末装置から前記基地局に送信すべき第２の応答信号のビット総数に基づいて決定される、
請求項９記載の応答信号マッピング方法。
【発明の詳細な説明】
【技術分野】
【０００１】
本発明は、端末装置及び応答信号マッピング方法に関する。
【背景技術】
【０００２】
３ＧＰＰ  ＬＴＥでは、下り回線の通信方式としてＯＦＤＭＡ（Orthogonal Frequency Division Multiple Access）が採用されている。３ＧＰＰ  ＬＴＥが適用された無線通信システムでは、基地局装置（以下「基地局」と略記する）が予め定められた通信リソースを用いて同期信号（Synchronization Channel：ＳＣＨ）及び報知信号（Broadcast Channel：ＢＣＨ）を送信する。そして、端末装置（以下「端末」と略記する）は、まず、ＳＣＨを捕まえることによって基地局との同期を確保する。その後、端末は、ＢＣＨ情報を読むことにより基地局独自のパラメータ（例えば、周波数帯域幅など）を取得する（非特許文献１、２、３参照）。
【０００３】
また、端末は、基地局独自のパラメータの取得が完了した後、基地局に対して接続要求を行うことにより、基地局との通信を確立する。基地局は、通信が確立された端末に対して、必要に応じてＰＤＣＣＨ（Physical Downlink Control CHannel）を介して制御情報を送信する。
【０００４】
そして、端末は、受信したＰＤＣＣＨ信号に含まれる複数の制御情報をそれぞれ「ブラインド判定」する。すなわち、制御情報は、ＣＲＣ（Cyclic Redundancy Check）部分を含み、このＣＲＣ部分は、基地局において、送信対象端末の端末ＩＤによってマスクされる。従って、端末は、受信した制御情報のＣＲＣ部分を自装置の端末ＩＤでデマスクしてみるまでは、自装置宛の制御情報であるか否かを判定できない。このブラインド判定では、デマスクした結果、ＣＲＣ演算がＯＫとなれば、その制御情報が自装置宛であると判定される。
【０００５】
また、３ＧＰＰ  ＬＴＥでは、基地局から端末への下り回線データに対してＡＲＱ（Automatic Repeat Request）が適用される。つまり、端末は下り回線データの誤り検出結果を示す応答信号を基地局へフィードバックする。端末は下り回線データに対しＣＲＣを行って、ＣＲＣ＝ＯＫ（誤り無し）であればＡＣＫ（Acknowledgment）を、ＣＲＣ＝ＮＧ（誤り有り）であればＮＡＣＫ（Negative Acknowledgment）を応答信号として基地局へフィードバックする。ただし、この応答信号（つまり、ＡＣＫ／ＮＡＣＫ信号）の変調にはＢＰＳＫ（Binary Phase Shift Keying）が用いられている。また、この応答信号のフィードバックには、ＰＵＣＣＨ（Physical Uplink Control Channel）等の上り回線制御チャネルが用いられる。そして、受信した応答信号がＮＡＣＫを示す場合には、基地局は、端末に対して再送データを送信する。
【０００６】
ここで、基地局から送信される上記制御情報（すなわち、下り割当制御情報）には、基地局が端末に対して割り当てたリソース情報等を含むリソース割当情報が含まれる。この制御情報の送信には、前述の通りＰＤＣＣＨが用いられる。このＰＤＣＣＨは、１つ又は複数のＬ１／Ｌ２ＣＣＨ（L1/L2 Control Channel）から構成される。各Ｌ１／Ｌ２ＣＣＨは、１つ又は複数のＣＣＥ（Control Channel Element）から構成される。すなわち、ＣＣＥは、制御情報をＰＤＣＣＨにマッピングするときの基本単位である。また、１つのＬ１／Ｌ２ＣＣＨが複数のＣＣＥから構成される場合には、そのＬ１／Ｌ２ＣＣＨには識別番号（Index）が連続する複数のＣＣＥが割り当てられる。基地局は、リソース割当対象端末に対する制御情報の通知に必要なＣＣＥ数に従って、そのリソース割当対象端末に対してＬ１／Ｌ２ＣＣＨを割り当てる。そして、基地局は、このＬ１／Ｌ２ＣＣＨのＣＣＥに対応する物理リソースにマッピングして制御情報を送信する。
【０００７】
またここで、各ＣＣＥは、ＰＵＣＣＨの構成リソースと１対１に対応付けられている。従って、Ｌ１／Ｌ２ＣＣＨを受信した端末は、このＬ１／Ｌ２ＣＣＨを構成するＣＣＥに対応するＰＵＣＣＨの構成リソースを暗黙的（Implicit）に特定することができ、この特定されたリソースを用いて応答信号を基地局へ送信する。ただし、Ｌ１／Ｌ２ＣＣＨが連続する複数のＣＣＥを占有する場合には、端末は、複数のＣＣＥにそれぞれ対応する複数のＰＵＣＣＨ構成リソースのうち１つ（例えば、Ｉｎｄｅｘが最も小さいＣＣＥに対応するＰＵＣＣＨ構成リソース）を利用して、応答信号を基地局へ送信する。こうして下り回線の通信リソースが効率良く使用される。
【０００８】
複数の端末から送信される複数の応答信号及び参照信号は、図１に示すように、時間軸上（Time domain）でZero Auto-correlation特性を持つＺＡＣ（Zero Auto-correlation）系列（Base sequenceと呼ばれることもある）、及び、ウォルシュ符号系列（Walsh code sequence）又はＤＦＴ（Discrete Fourier Transform）系列によって拡散され、ＰＵＣＣＨ内でコード多重されている（ただし、系列長１２のＺＡＣ系列そのものを参照信号系列（Reference sequence）と呼ぶこともある）。
【０００９】
図１において（Ｗ０,Ｗ１,Ｗ２,Ｗ３）は系列長４のウォルシュ系列（ウォルシュ符号系列：Walsh Code Sequence）を表わし、（Ｆ０,Ｆ１,Ｆ２）は系列長３のＤＦＴ系列を表す。図１に示すように、端末では、ＡＣＫ又はＮＡＣＫの応答信号が、まず周波数軸上でＺＡＣ系列（系列長１２）によって１ＳＣ−ＦＤＭＡシンボル内に１次拡散される。次いで１次拡散後の応答信号がＷ０〜Ｗ３それぞれに対応させられてＩＦＦＴ（Inverse Fast Fourier Transform）される。また、端末では、参照信号としての系列長１２のＺＡＣ系列がＦ０〜Ｆ２それぞれに対応させられてＩＦＦＴされる。このようにして、周波数軸上（Frequency domain）で系列長１２のＺＡＣ系列によって拡散された応答信号、及び参照信号は、ＩＦＦＴにより時間軸上の系列長１２のＺＡＣ系列に変換される。これは、１次拡散後の応答信号、及び参照信号がＩＦＦＴ後にさらにウォルシュ系列（系列長４）、ＤＦＴ系列（系列長３）を用いて２次拡散されることと等価である。
【００１０】
異なる端末からの応答信号同士は、異なる巡回シフト量（Cyclic shift Index）に対応するＺＡＣ系列、または、異なる系列番号（Orthogonal cover Index : OC index）に対応する直交符号系列を用いて拡散されている。直交符号系列は、ウォルシュ系列とＤＦＴ系列との組である。また、直交符号系列はブロックワイズ拡散コード系列（Block-wise spreading code）と称されることもある。従って、基地局は、従来の逆拡散及び相関処理を用いることにより、これらコード多重された複数の応答信号を分離することができる（非特許文献４参照）。
【００１１】
ただし、各端末は各サブフレーム（送信単位時間）において自装置宛の下り割当制御情報をブラインド判定するので、端末側では、必ずしも下り割当制御情報の受信が成功するとは限らない。端末が或る下り単位バンドにおける自装置宛の下り割当制御情報の受信に失敗した場合、端末は、当該下り単位バンドにおいて自装置宛の下り回線データが存在するか否かさえも知り得ない。従って、端末が或る下り単位バンドにおける下り割当制御情報の受信に失敗した場合、端末は、当該下り単位バンドにおける下り回線データに対する応答信号も生成しない。このエラーケースは、端末側で応答信号の送信が行われないという意味で、応答信号のＤＴＸ（DTX(Discontinuous transmission) of ACK/NACK signals）として定義されている。なお、以降の説明では簡単のため、端末が或る下り単位バンドで下り割当制御情報を受信しなかった状況を、単に「ＤＴＸ」として表記する。
【００１２】
ところで、３ＧＰＰ  ＬＴＥシステム（以下、「ＬＴＥシステム」と呼ばれることがある）では、基地局は上り回線データ及び下り回線データに対してそれぞれ独立にリソース割当を行う。そのため、ＬＴＥシステムでは、上り回線において、端末（つまり、ＬＴＥシステム対応の端末（以下、「ＬＴＥ端末」という））が、下り回線データに対する応答信号と、上り回線データとを同時に送信しなければならない状況が発生する。この状況では、端末からの応答信号及び上り回線データは、時間多重（Time Division Multiplexing：ＴＤＭ）を用いて送信される。このようにＴＤＭを用いて応答信号と上り回線データとを同時に送信することで、端末の送信波形のシングルキャリア特性（Single carrier properties）を維持している。
【００１３】
また、図２に示すように、時間多重（ＴＤＭ）では、端末から送信される応答信号（「Ａ／Ｎ」）は、上り回線データ向けに割り当てられたリソース（ＰＵＳＣＨ（Physical Uplink Shared CHannel）リソース）の一部（参照信号（ＲＳ（Reference Signal））がマッピングされるSC-FDMAシンボルに隣接するSC-FDMAシンボルの一部）を占有して基地局に送信される。ただし、図中の縦軸の「subcarrier」は「Virtual subcarrier」、又は「Time contiguous signal」と呼ばれることもあり、SC-FDMA送信機においてＤＦＴ（Discrete Fourier Transform）回路に纏めて入力される「時間的に連続する信号」を便宜上「subcarrier」として表したものである。すなわち、ＰＵＳＣＨリソースでは、応答信号によって、上り回線データのうちの任意のデータがパンクチャ（puncture）される。このため、符号化後の上り回線データの任意のビットがパンクチャされることで、上り回線データの品質（例えば、符号化利得）が大幅に劣化する。そのため、基地局は、例えば、端末に対して非常に低い符号化率を指示したり、非常に大きな送信電力を指示したりすることで、パンクチャによる上り回線データの品質劣化を補償する。
【００１４】
また、３ＧＰＰ  ＬＴＥよりも更なる通信の高速化を実現する３ＧＰＰ  ＬＴＥ−ａｄｖａｎｃｅｄの標準化が開始された。３ＧＰＰ  ＬＴＥ−ａｄｖａｎｃｅｄシステム（以下、「ＬＴＥ−Ａシステム」と呼ばれることがある）は、ＬＴＥシステムを踏襲する。３ＧＰＰ  ＬＴＥ−ａｄｖａｎｃｅｄでは、最大１Ｇｂｐｓ以上の下り伝送速度を実現するために、４０ＭＨｚ以上の広帯域周波数で通信可能な基地局及び端末が導入される見込みである。
【００１５】
ＬＴＥ−Ａシステムにおいては、ＬＴＥシステムにおける伝送速度の数倍もの超高速伝送速度による通信、及び、ＬＴＥシステムに対する後方互換性（バックワードコンパチビリティー：Backward Compatibility）を同時に実現するために、ＬＴＥ−Ａシステム向けの帯域が、ＬＴＥシステムのサポート帯域幅である２０ＭＨｚ以下の「単位バンド」に区切られる。すなわち、「単位バンド」は、ここでは、最大２０ＭＨｚの幅を持つ帯域であって、通信帯域の基本単位として定義される。さらに、下り回線における「単位バンド」（以下、「下り単位バンド」という）は基地局から報知されるＢＣＨの中の下り周波数帯域情報によって区切られた帯域、又は、下り制御チャネル（ＰＤＣＣＨ）が周波数領域に分散配置される場合の分散幅によって定義される帯域として定義されることもある。また、上り回線における「単位バンド」（以下、「上り単位バンド」という）は、基地局から報知されるＢＣＨの中の上り周波数帯域情報によって区切られた帯域、又は、中心付近にＰＵＳＣＨ領域を含み、両端部にＬＴＥ向けのＰＵＣＣＨを含む２０ＭＨｚ以下の通信帯域の基本単位として定義されることもある。また、「単位バンド」は、３ＧＰＰ  ＬＴＥ−Ａｄｖａｎｃｅｄにおいて、英語でＣｏｍｐｏｎｅｎｔ  Ｃａｒｒｉｅｒ（ｓ）と表記されることがあり、物理セル番号とキャリア周波数番号で定義されてもよく、セルと呼ばれることもある。
【００１６】
そして、ＬＴＥ−Ａシステムでは、その単位バンドを幾つか束ねた帯域を用いた通信、所謂Carrier aggregationがサポートされる。そして、一般的に上りに対するスループット要求と下りに対するスループット要求とは異なるので、ＬＴＥ−Ａシステムでは、任意のＬＴＥ−Ａシステム対応の端末（以下、「ＬＴＥ−Ａ端末」という）に対して設定される単位バンドの数が上りと下りで異なるCarrier aggregation、所謂Asymmetric Carrier aggregationも検討されている。さらに、上りと下りで単位バンド数が非対称であり、且つ、各単位バンドの周波数帯域幅がそれぞれ異なる場合も、サポートされる。
【００１７】
図３は、個別の端末に適用される非対称のCarrier aggregation及びその制御シーケンスの説明に供する図である。図３には、基地局の上りと下りの帯域幅及び単位バンド数が対称である例が示されている。
【００１８】
図３Ｂにおいて、端末１に対しては、２つの下り単位バンドと左側の１つの上り単位バンドを用いてCarrier aggregationを行うような設定（Configuration）が為される一方、端末２に対しては、端末１と同一の２つの下り単位バンドを用いるような設定が為されるにも拘らず、上り通信では右側の上り単位バンドを利用するような設定が為される。
【００１９】
そして、端末１に着目すると、ＬＴＥ−Ａシステムを構成するＬＴＥ−Ａ基地局とＬＴＥ−Ａ端末との間では、図３Ａに示すシーケンス図に従って、信号の送受信が行われる。図３Ａに示すように、（１）端末１は、基地局との通信開始時に、左側の下り単位バンドと同期を取り、左側の下り単位バンドとペアになっている上り単位バンドの情報をＳＩＢ２（System Information Block Type 2）と呼ばれる報知信号から読み取る。（２）端末１は、この上り単位バンドを用いて、例えば、接続要求を基地局に送信することによって基地局との通信を開始する。（３）端末に対し複数の下り単位バンドを割り当てる必要があると判断した場合には、基地局は、端末に下り単位バンドの追加を指示する。ただし、図３は、上り単位バンド数は増えず、個別の端末である端末１において非対称Carrier aggregationが開始される説明図である。
【００２０】
このように、基地局は、端末との間で前述のCarrier aggregationによる通信を行う場合、まず端末に対して複数の下り単位バンドを設定する。この下り単位バンドの設定は、上位レイヤのシグナリング（Higher layer signaling。例えば、RRC signaling）によって基地局から端末へ通知される。ただし、基地局は、端末に設定された全ての下り単位バンドを用いて下り回線データを常に送信するのではなく、必要なときのみ（一部のサブフレームにおいてのみ）複数の下り単位バンドそれぞれに下り回線データを割り当てて、信号を送信する。なお、この下り回線データの割当状況は、前述した下り割当制御情報によって端末へ通知される。
【先行技術文献】
【非特許文献】
【００２１】
【非特許文献１】3GPP TS 36.211 V8.7.0, “Physical Channels and Modulation （Release 8）,” May 2009
【非特許文献２】3GPP TS 36.212 V8.7.0, “Multiplexing and channel coding （Release 8）,” May 2009
【非特許文献３】3GPP TS 36.213 V8.7.0, “Physical layer procedures （Release 8）,” May 2009
【非特許文献４】Seigo Nakao, Tomofumi Takata, Daichi Imamura, and Katsuhiko Hiramatsu, “Performance enhancement of E-UTRA uplink control channel in fast fading environments,” Proceeding of IEEE VTC 2009 spring, April. 2009
【発明の概要】
【発明が解決しようとする課題】
【００２２】
ところで、前述のCarrier aggregationが適用されるＬＴＥ−Ａシステムでは、端末が一度に複数の下り単位バンドにおいて下り回線データを受信する場合がある。すなわち、端末は、複数の下り回線データにそれぞれ対応する複数の応答信号を同時に送信しなければならない場合がある。
【００２３】
また、ＬＴＥ−Ａシステムでは、ＬＴＥシステムと同様、基地局は、上り回線データ及び下り回線データに対してそれぞれ独立にリソース割当を行う。そのため、ＬＴＥ−Ａシステムでは、ＬＴＥシステムと同様に、上り回線において、ＬＴＥ−Ａ端末が、複数の下り回線データに対する複数の応答信号と、上り回線データとを同時に送信しなければならない状況が発生する。
【００２４】
この状況では、端末の電力効率を維持するために、端末の送信波形のシングルキャリア特性を維持する必要がある。つまり、この状況では、端末の電力効率を維持するために、ＬＴＥシステムと同様、「複数の応答信号及び上り回線データの時間多重（ＴＤＭ）」を適用する必要がある。しかし、前述の通り、「複数の応答信号及び上り回線データの時間多重（ＴＤＭ）」を適用する際、ＰＵＳＣＨリソースでは、応答信号によって上り回線データのうち任意のデータがパンクチャ（puncture）されるので、上り回線データの品質（例えば符号化利得）が大幅に劣化する。特に、Carrier aggregationが適用される場合には、応答信号のビット数が増加するので、上り回線データの品質劣化は更に深刻なものとなる。すなわち、ＬＴＥ−Ａシステムでは、複数の応答信号によって上り回線データがパンクチャされる状況を可能な限り回避することが重要となる。
【００２５】
しかしながら、複数の下り単位バンドを用いたCarrier aggregationが適用されるＬＴＥ−Ａシステムにおいて、複数の応答信号によって上り回線データがパンクチャされる状況を可能な限り回避する方法については、これまで十分な検討がなされていない。
【００２６】
本発明の目的は、複数の下り単位バンドを用いたCarrier aggregationが適用される通信システムにおいて、複数の応答信号によって上り回線データがパンクチャされる状況をなるべく低減することができる端末装置及び応答信号マッピング方法を提供することである。
【課題を解決するための手段】
【００２７】
本発明の第１の態様に係る端末装置は、設定された複数の下り単位バンドのうち一部又は全てを用いて基地局と通信する端末装置であって、前記複数の下り単位バンドの下り制御チャネルで送信された下り割当制御情報と、前記下り割当制御情報が示す下りデータチャネルで送信された下りデータと、を受信する受信手段と、前記下りデータの受信成否に基づいて、前記複数の下り単位バンドのうち、第１の下り単位バンドに対応する第１の応答信号と、第２の下り単位バンドに対応する第２の応答信号とを含む、応答信号を生成する生成手段と、前記第１の応答信号と、前記第２の応答信号とを別々に符号化する符号化手段と、前記第１の応答信号と前記第２の応答信号とをそれぞれ上りデータチャネル領域内の異なる領域に、上り回線データと時間領域で多重してマッピングするマッピング手段と、を具備し、前記生成手段において、前記第１の応答信号のシンボル数と、前記第２の応答信号のシンボル数とは、それぞれ独立に決定される構成を採る。
【００２８】
本発明の第２の態様に係る応答信号マッピング方法は、設定された複数の下り単位バンドのうち一部又は全てを用いて基地局と通信する端末装置における応答信号マッピング方法であって、前記複数の下り単位バンドの下り制御チャネルで送信された下り割当制御情報と、前記下り割当制御情報が示す下りデータチャネルで送信された下りデータと、を受信し、前記下りデータの受信成否に基づいて、前記複数の下り単位バンドのうち、第１の下り単位バンドに対応する第１の応答信号と、第２の下り単位バンドに対応する第２の応答信号とを含む応答信号を生成し、前記第１の応答信号と前記第２の応答信号のシンボル数とは、それぞれ独立に決定され、前記第１の応答信号と、前記第２の応答信号とを別々に符号化する符号化し、前記第１の応答信号と前記第２の応答信号とをそれぞれ上りデータチャネル領域内の異なる領域に、上り回線データと時間領域で多重してマッピングする構成を採る。
【発明の効果】
【００２９】
本発明によれば、複数の下り単位バンドを用いたCarrier aggregationが適用される通信システムにおいて、複数の応答信号によって上り回線データがパンクチャされる状況をなるべく低減することができる。
【図面の簡単な説明】
【００３０】
【図１】応答信号及び参照信号の拡散方法を示す図
【図２】ＰＵＳＣＨリソースにおける応答信号及び上り回線データのＴＤＭの適用に関わる動作を示す図
【図３】個別の端末に適用される非対称のCarrier aggregation及びその制御シーケンスの説明に供する図
【図４】本発明の実施の形態に係る応答信号及び上り回線データの同時送信処理を示す図
【図５】本発明の実施の形態に係る応答信号及び上り回線データの同時送信処理を示す図
【図６】本発明の実施の形態に係る基地局の構成を示すブロック図
【図７】本発明の実施の形態に係る端末の構成を示すブロック図
【図８】本発明の実施の形態に係る応答信号及び上り回線データの同時送信処理を示す図（マッピング方法１）
【図９】本発明の実施の形態に係る応答信号及び上り回線データの同時送信処理を示す図（マッピング方法２）
【発明を実施するための形態】
【００３１】
以下、本発明の実施の形態について図面を参照して詳細に説明する。
【００３２】
先ず、実施の形態の具体的な構成及び動作を説明する前に、複数の下り単位バンドを用いたCarrier aggregationが適用されるＬＴＥ−Ａシステムにおいて、複数の下り単位バンドでそれぞれ送信された複数の下り回線データに対する複数の応答信号と、上り回線データとをＴＤＭによって送信する方法として、本発明者らが着目した方法について説明する。
【００３３】
同一サブフレーム内で、複数の応答信号と上り回線データとをＴＤＭによって同時に送信する第１の方法として、図４に示すように、端末が、端末に設定された全ての下り単位バンドに対応する応答信号（ＡＣＫ、ＮＡＣＫ又はＤＴＸ（すなわち、当該下り単位バンドで下り割当制御情報を受信しなかった場合））を、ＰＵＳＣＨ内の「端末に設定された下り単位バンド数に応じて決定される領域」にマッピングして、上り回線データとともに送信する方法が考えられる。
【００３４】
例えば、第１の方法において、端末に対して５つの下り単位バンドが設定されている場合に、端末が１つの下り単位バンドにおいてのみ下り割当制御情報を受信した場合について説明する。この場合、端末は、下り割当制御情報を受信した１つの下り単位バンドに対応する応答信号成分には、下り回線データの受信成否状況に応じてＡＣＫ又はＮＡＣＫを設定する。一方、端末は、下り割当制御情報を受信した下り単位バンド以外のその他の４つの下り単位バンドに対応する応答信号成分にはＤＴＸを設定する。そして、端末は、５つの下り単位バンドに対応する応答信号成分からなる応答信号を送信する。
【００３５】
しかしながら、上述したように、端末に対する下り単位バンドの設定（Configuration）は上位レイヤのシグナリングによって行われる。ここで、上位レイヤのシグナリングは、ＡＲＱの適用により保護されているので信頼性が高いものの、基地局から端末へ到達するまでにより多くの時間が掛かってしまう。つまり、上位レイヤのシグナリングは高速に制御することができない。更に、上位レイヤのシグナリングにおける、１つのメッセージあたりのオーバーヘッドが大きいので、端末に対する下り単位バンドの設定を頻繁に変更することはできない。
【００３６】
従って、基地局は、端末に対して複数の下り単位バンドを一度設定すると、端末に設定した下り単位バンドの数を頻繁に変更することはなく、必要に応じて端末に設定された下り単位バンドのうち、一部又は全ての下り単位バンドを用いて下り回線データを送信する。すなわち、基地局は、端末に複数の下り単位バンドを設定した場合でも、端末に対して多くの下り回線データを瞬時的に送信する必要が生じた場合にのみ、端末に設定された複数の下り単位バンドに対して複数の下り回線データを割り当てる（Assignする）。
【００３７】
このため、第１の方法では、大部分のサブフレーム（多くの下り回線データを瞬時的に送信する必要が生じた場合以外の時間）では、前述の「端末に設定された下り単位バンド数に応じて決定される領域」を用いて、基地局が必要とする１つの応答信号（すなわち、１つの下り単位バンドのみでしか下り割当制御情報を受け取らない場合に生成される１つの応答信号。「Non-carrier aggregation assignment時の応答信号」と称されることもある。）のみしか送信されないという状況が発生する。すなわち、基地局が必要とする応答信号が１つだけであるにもかかわらず、「端末に設定された下り単位バンド数に応じて決定される領域」の大きさに応じて、上り回線データがパンクチャされて複数の応答信号がマッピングされるので、上り回線データの伝送品質が大幅に劣化してしまう。
【００３８】
上記第１の方法における問題点を解決する方法として、以下の第２の方法が考えられる。第２の方法では、端末が受信した下り割当制御情報の数に応じて、上り回線データ向けに割り当てられたＰＵＳＣＨ内で応答信号（上り応答信号）をマッピングする領域を決定する。第２の方法の概念図を図５に示す。
【００３９】
例えば、図５Ａは、端末が１つの下り割当制御情報を受信した場合の応答信号のマッピング例であり、図５Ｂは、端末が２つの下り割当制御情報を受信した場合の応答信号のマッピング例である。すなわち、第２の方法では、図５Ａ及び図５Ｂに示すように、端末は、下り割当制御情報を受信した下り単位バンドに対応する応答信号を、ＰＵＳＣＨ内の「端末が受信した下り割当制御情報の数に応じて決定される領域」にマッピングして、上り回線データとともに送信する。よって、ＰＵＳＣＨリソースにおいて応答信号がマッピングされる領域（上り回線データがパンクチャされる領域）は、図５Ａ（下り割当制御情報の数：１つ）及び図５Ｂ（下り割当制御情報の数：２つ）に示すように、端末が受信した下り割当制御情報の数（つまり、端末に対する下り回線データの割当数）に応じて変化する。このように、第２の方法では、端末が受信した下り割当制御情報の数に応じて、応答信号によって上り回線データがパンクチャされる部分を変化させることで、応答信号が上り回線データをパンクチャすることによる上り回線データの伝送品質の劣化を最小限に抑えることができる。
【００４０】
しかしながら、第２の方法が適用される際、端末側で下り割当制御情報を受け取り損ねた場合、基地局側と端末側との間で応答信号のマッピング位置（応答信号領域）に関して認識違いが発生し、基地局が応答信号を正常に受信できない状況が発生する。
【００４１】
例えば、基地局が２つの下り回線データ、及び、２つの下り回線データに関する２つの下り割当制御情報を送信したのに対し、端末がそのうちの１つの下り割当制御情報の受信に失敗した場合について説明する。この場合、端末は、１つの下り割当制御情報しか受信しないので、図５Ａに示すマッピングに基づいて、１つの応答信号（Ａ／Ｎ）によって上り回線データ（Ｄａｔａ）をパンクチャし、信号を送信する。これに対して、基地局は、２つの下り割当制御情報を送信しているので、図５Ｂに示すマッピングで２つの応答信号（Ａ／Ｎ）が端末から送信されることを想定している。よって、基地局は、実際には図５Ａに示すように１つの応答信号しか送信されていないにもかかわらず、図５Ｂに示すマッピングに従って応答信号に対する受信処理を行う。よって、基地局は、図５Ａに示す上り回線データ（Ｄａｔａ）の一部（すなわち、図５Ａにおいて、図５Ｂでは応答信号がマッピングされる領域にマッピングされた上り回線データ）を、応答信号の一部として受信してしまう。このため、基地局における応答信号の受信特性が大幅に劣化してしまう。
【００４２】
更に、この場合、端末から送信される応答信号がいずれの下り単位バンドで送信された下り回線データに対する応答信号であるかを基地局側で判別できないという問題も発生する。この現象は、端末が２つの下り割当制御情報のうちいずれか一方を受け取り損ねた場合に発生するので、下り割当制御情報のＢＬＥＲ（Block error rate）を１％とすると、上述した「基地局側と端末側との間の応答信号領域の認識違い」は約２％の確率で発生すると言える。更に、「基地局側と端末側との間の応答信号領域の認識違い」の発生率は、下り割当制御情報が送信される下り単位バンドの数が増加するにつれて線形的に増加する。
【００４３】
そこで、以下では、複数の下り単位バンドを用いたCarrier aggregationが適用されるＬＴＥ−Ａシステムにおいて、端末が複数の応答信号と上り回線データとを同時に送信する場合に、応答信号によって上り回線データがパンクチャリングされる状況を低減させることができるとともに、基地局と端末との間で上り回線データ向けに割り当てられたＰＵＳＣＨ内の応答信号領域に関する認識違いの発生を低減させることができる端末及び信号送信制御方法について説明する。
【００４４】
［通信システムの概要］
後述する基地局１００及び端末２００を含む通信システムでは、１つの上り単位バンド及び当該上り単位バンドと対応づけられたＮ（Ｎは、２以上の自然数）個の下り単位バンドを使用した通信、つまり、端末２００独自の非対称Carrier aggregationによる通信が行われる。この上り単位バンド及びＮ個の下り単位バンドは、端末２００に対して設定（configure）された「単位バンドグループ」である。また、この通信システムには、端末２００と異なり、Carrier aggregationによる通信を行う能力が無く、１つの下り単位バンドとこれに対応づけられた１つの上り単位バンドによる通信（つまり、Carrier aggregationによらない通信）を行う端末も含まれている。
【００４５】
従って、基地局１００は、Carrier aggregationによる通信及びCarrier aggregationによらない通信の両方をサポートできるように構成されている。
【００４６】
また、基地局１００と端末２００との間でも、基地局１００による端末２００に対するリソース割当によっては、Carrier aggregationによらない通信が行われることも可能である。
【００４７】
また、この通信システムでは、Carrier aggregationによらない通信が行われる場合には、１つの下り回線データに対する１つの応答信号に基づいて従来通りのＡＲＱが行われる。一方、Carrier aggregationによる通信が行われる場合には、複数の下り回線データに対する複数の応答信号に基づいてＡＲＱが行われる。すなわち、この通信システムは、例えば、ＬＴＥ−Ａシステムであり、基地局１００は、例えば、ＬＴＥ−Ａ基地局であり、端末２００は、例えば、ＬＴＥ−Ａ端末である。また、Carrier aggregationによる通信を行う能力の無い端末は、例えば、ＬＴＥ端末である。
【００４８】
以下では、次の事項を前提として説明する。すなわち、基地局１００と端末２００の間で、端末２００独自の非対称Carrier aggregationが予め設定（Configure）されており、端末２００が用いるべき下り単位バンド及び上り単位バンドの情報が、基地局１００と端末２００との間で共有されている。また、基地局１００は、端末２００に設定した複数の下り単位バンドのうちいずれか１つを基本単位バンド（ＰＣＣ：Primary Component Carrier）として決定しており、この基本単位バンドの情報も基地局１００と端末２００との間で共有されている。
【００４９】
ただし、基地局１００は、端末２００に対して、端末２００に設定した複数の下り単位バンド全てを常に用いて信号を送信するとは限らない。なお、基地局１００は、端末に対して１つの下り単位バンドのみを用いて信号を送信する際には、前述の基本単位バンド（ＰＣＣ）を優先して使用する。
【００５０】
［基地局の構成］
図６は、本実施の形態に係る基地局１００の構成を示すブロック図である。基地局１００は、Ｎ個の下り単位バンドと上り単位バンドとからなる単位バンドグループを用いて端末と通信する。
【００５１】
図６に示す基地局１００において、制御部１０１は、リソース割当対象端末２００に対して、制御情報を送信するための下りリソース（つまり、下り制御情報割当リソース及び上り制御情報割当リソース）、及び、当該制御情報に含まれる、下り回線データを送信するための下りリソース（つまり、下りデータ割当リソース）及び上り回線データを送信するための上りリソース（つまり、上りデータ割当リソース）を割り当てる（Assignする）。このリソース割当は、リソース割当対象端末２００に設定（Configure）される単位バンドグループに含まれる下り単位バンド及び上り単位バンドにおいて行われる。また、下り制御情報割当リソース及び上り制御情報割当リソースは、各下り単位バンドにおける下り制御チャネル（ＰＤＣＣＨ）に対応するリソース内で選択される。また、下りデータ割当リソースは、各下り単位バンドにおける下りデータチャネル（ＰＤＳＣＨ）に対応するリソース内で選択され、上りデータ割当リソースは、各上り単位バンドにおける上りデータチャネル（ＰＵＳＣＨ）に対応するリソース内で選択される。また、リソース割当対象端末２００が複数存在する場合には、制御部１０１は、リソース割当対象端末２００のそれぞれに異なるリソースを割り当てる。
【００５２】
下り制御情報割当リソース及び上り制御情報割当リソースは、上記したＬ１／Ｌ２ＣＣＨと同等である。すなわち、下り制御情報割当リソース及び上り制御情報割当リソースは、１つ又は複数のＣＣＥから構成される。また、下り制御情報割当リソースに含まれる各ＣＣＥは、上り制御チャネル（ＰＵＣＣＨ）の構成リソースと１対１に対応づけられている。
【００５３】
また、制御部１０１は、リソース割当対象端末２００に対して制御情報を送信する際に用いる符号化率を決定する。この符号化率に応じて制御情報のデータ量が異なるので、このデータ量の制御情報をマッピング可能な数のＣＣＥを持つ下り制御情報割当リソース及び上り制御情報割当リソースが、制御部１０１によって割り当てられる。
【００５４】
そして、制御部１０１は、制御情報生成部１０２に対して、下りデータ割当リソース及び上りデータ割当リソースに関する情報を出力する。また、制御部１０１は、符号化部１０３に対して、制御情報を送信する際に用いる符号化率に関する情報を出力する。また、制御部１０１は、送信データ（つまり、下り回線データ）の符号化率を決定し、符号化部１０５に出力し、受信データ（つまり、上り回線データ）の符号化率を決定し、復調／復号部１１８に出力する。また、制御部１０１は、下りデータ割当リソース、下り制御情報割当リソース及び上り制御情報割当リソースに関する情報をマッピング部１０８に対して出力する。また、制御部１０１は、端末が応答信号を送信すべき物理チャネルに関する情報を応答信号分離部１１６及び判定部１１９に出力する。ただし、制御部１０１は下り回線データと、当該下り回線データが用いる下りデータ割当リソースを通知する下り割当制御情報とを同一の下り単位バンドにマッピングするよう制御する。
【００５５】
制御情報生成部１０２は、下りデータ割当リソースを通知する制御情報及び上りデータ割当リソースを通知する制御情報を生成して符号化部１０３へ出力する。この制御情報は下り単位バンド毎、上り単位バンド毎に生成される。また、リソース割当対象端末２００が複数存在する場合には、リソース割当対象端末２００同士を区別するために、制御情報には、宛先端末の端末ＩＤが含まれる。例えば、宛先端末の端末ＩＤでマスキングされたＣＲＣビットが制御情報に含まれる。この制御情報は、「下り割当制御情報」及び「上り割当制御情報」と呼ばれることがある。
【００５６】
符号化部１０３は、制御部１０１から受け取る符号化率に従って、制御情報生成部１０２から入力される制御情報を符号化し、符号化した制御情報を変調部１０４へ出力する。
【００５７】
変調部１０４は、符号化後の制御情報を変調し、得られた変調信号をマッピング部１０８へ出力する。
【００５８】
符号化部１０５は、送信宛先端末２００毎の送信データ（つまり、下り回線データ）及び制御部１０１からの符号化率情報を入力として、送信データを符号化率情報の示す符号化率で符号化し、データ送信制御部１０６に出力する。ただし、送信宛先端末２００に対して複数の下り単位バンドが割り当てられる場合には、符号化部１０５は、各下り単位バンドで送信される送信データをそれぞれ符号化し、符号化後の送信データをデータ送信制御部１０６へ出力する。
【００５９】
データ送信制御部１０６は、初回送信時には、符号化後の送信データを保持するとともに符号化後の送信データを変調部１０７へ出力する。なお、符号化後の送信データは、送信宛先端末２００毎に保持される。また、１つの送信宛先端末２００への送信データは、送信される下り単位バンド毎に保持される。これにより、送信宛先端末２００に送信されるデータ全体の再送制御だけでなく、下り単位バンドごとの再送制御も可能になる。
【００６０】
また、データ送信制御部１０６は、再送制御信号生成部１２０から受け取る再送制御信号が再送命令を示す場合には、当該再送制御信号に対応する保持データを、変調部１０７へ出力する。また、データ送信制御部１０６は、再送制御信号生成部１２０から受け取る再送制御信号が再送しないことを示す場合には、当該再送制御信号に対応する保持データを削除する。この場合には、データ送信制御部１０６は、次の初回送信データを変調部１０７へ出力する。
【００６１】
変調部１０７は、データ送信制御部１０６から受け取る符号化後の送信データを変調し、変調信号をマッピング部１０８へ出力する。
【００６２】
マッピング部１０８は、制御部１０１から受け取る下り制御情報割当リソース及び上り制御情報割当リソースの示すリソース（ＰＤＣＣＨ内のリソース）に、変調部１０４から受け取る制御情報の変調信号（下り割当制御情報または上り割当制御情報）をマッピングし、ＩＦＦＴ部１０９へ出力する。
【００６３】
また、マッピング部１０８は、制御部１０１から受け取る下りデータ割当リソースの示すリソース（ＰＤＳＣＨ内のリソース）に、変調部１０７から受け取る送信データの変調信号（下り回線データ）をマッピングし、ＩＦＦＴ部１０９へ出力する。
【００６４】
マッピング部１０８にて複数の下り単位バンドにおける複数のサブキャリアにマッピングされた制御情報及び送信データ（下り回線データ）は、ＩＦＦＴ部１０９で周波数領域信号から時間領域信号に変換され、ＣＰ付加部１１０にてＣＰが付加されてＯＦＤＭ信号とされた後に、無線送信部１１１にてＤ／Ａ変換、増幅及びアップコンバート等の送信処理が施され、アンテナを介して端末２００へ送信される。これにより、Ｎ個の下り単位バンドの下り制御チャネルで、上り割当制御情報及び下り割当制御情報が送信され、かつ、下り割当制御情報が示す下りデータチャネルで下り回線データが送信される。
【００６５】
無線受信部１１２は、端末２００から送信された、上りデータチャネル信号（ＰＵＳＣＨ信号）を含む信号をアンテナを介して受信し、受信信号に対しダウンコンバート、Ａ／Ｄ変換等の受信処理を行う。なお、ＰＵＳＣＨ信号には、上り回線データが含まれる。ただし、端末２００で応答信号と上り回線データとが時間多重（ＴＤＭ）される際には、ＰＵＳＣＨ信号には、上り回線データ及び応答信号の双方が含まれる。
【００６６】
ＣＰ除去部１１３は、受信処理後の受信信号に付加されているＣＰを除去する。
【００６７】
ＰＵＳＣＨ分離部１１４は、制御部１０１からの指示に従って、ＦＦＴ（Fast Fourier Transform）処理により、受信信号に含まれるＰＵＳＣＨ信号を周波数軸上で分離する。そして、ＰＵＳＣＨ分離部１１４は、抽出したＰＵＳＣＨ信号（上り回線データのみを含む信号、または、上り回線データ及び応答信号の双方を含む信号）の周波数成分をＩＤＦＴ（Inverse Discrete Fourier Transform）部１１５に出力する。
【００６８】
ＩＤＦＴ部１１５は、ＰＵＳＣＨ分離部１１４から入力されるＰＵＳＣＨ信号の周波数成分に対してＩＤＦＴ処理を施すことにより、ＰＵＳＣＨ信号を時間軸上の信号に変換する。
【００６９】
応答信号分離部１１６は、制御部１０１からの指示に従って、ＩＤＦＴ部１１５から入力される時間軸上のＰＵＳＣＨ信号から、応答信号が含まれる可能性がある信号成分と、上り回線データが含まれる信号成分とを時間軸上で分離する。そして、応答信号分離部１１６は、応答信号が含まれる信号成分を応答信号受信部１１７に出力し、上り回線データが含まれる信号成分を復調／復号部１１８に出力する。
【００７０】
応答信号受信部１１７は、応答信号分離部１１６から入力される、応答信号に対応する信号成分を復調・復号し、復号後の信号及び尤度情報を判定部１１９に出力する。
【００７１】
復調／復号部１１８は、制御部１０１から入力される上り回線データに対応する符号化率を用いて、応答信号分離部１１６から入力される、上り回線データが含まれる信号成分を復調・復号し、受信データとして出力する。
【００７２】
判定部１１９は、制御部１０１からの指示に従って、下り回線データの誤り検出結果に基づく応答信号が、上り割当制御情報が示す上りデータチャネル（ＰＵＳＣＨリソース）に含まれるか否かを判定する。
【００７３】
具体的には、判定部１１９は、応答信号受信部１１７から入力される尤度情報に基づいて、端末２００からＰＵＳＣＨリソースを用いて応答信号が送信されているか否かを判定する。すなわち、判定部１１９は、応答信号受信部１１７から入力される尤度情報に示される尤度の大きさが或る一定の閾値以下であれば、端末２００はＰＵＳＣＨリソースを用いて応答信号を送信していないと判定する。この場合、判定部１１９は、「全ての応答信号に対するＤＴＸ」を示す情報を再送制御信号生成部１２０に出力する。一方、判定部１１９は、応答信号受信部１１７から入力される尤度情報に示される尤度の大きさが或る一定の閾値より大きい場合、端末２００はＰＵＳＣＨリソースを用いて応答信号を送信していると判定する。この場合、判定部１１９は、更にそれぞれの下り単位バンドに対応する応答信号がＡＣＫ、ＮＡＣＫ又はＤＴＸのいずれを示しているかを、例えば同期検波によって判定する。そして、判定部１１９は、判定結果（ＡＣＫ、ＮＡＣＫ又はＤＴＸ）を再送制御信号生成部１２０へ出力する。
【００７４】
再送制御信号生成部１２０は、判定部１１９から入力される応答信号に関する判定結果（ＡＣＫ、ＮＡＣＫ又はＤＴＸ）に基づいて、各下り単位バンドで送信したデータ（下り回線データ）を再送すべきか否かを判定し、判定結果に基づいて再送制御信号を生成する。具体的には、再送制御信号生成部１２０は、或る下り回線データに関してＮＡＣＫを示す応答信号又はＤＴＸを受け取る場合には、当該下り回線データの再送命令を示す再送制御信号を生成して、生成した再送制御信号をデータ送信制御部１０６へ出力する。また、再送制御信号生成部１２０は、或る下り回線データに関してＡＣＫを示す応答信号を受け取る場合には、当該下り回線データを再送しないことを示す再送制御信号を生成して、生成した再送制御信号をデータ送信制御部１０６へ出力する。
【００７５】
［端末の構成］
図７は、本実施の形態に係る端末２００の構成を示すブロック図である。端末２００は、Ｎ個の下り単位バンドと上り単位バンドとからなる単位バンドグループを用いて基地局１００と通信し、且つ、下り単位バンドに配置される下り回線データの誤り検出結果に基づく応答信号を上り単位バンドの上り制御チャネルで送信する。
【００７６】
図７に示す端末２００において、無線受信部２０１は、基地局１００から送信されたＯＦＤＭ信号をアンテナを介して受信し、受信ＯＦＤＭ信号に対しダウンコンバート、Ａ／Ｄ変換等の受信処理を行う。なお、受信ＯＦＤＭ信号には、ＰＤＳＣＨ信号またはＰＤＣＣＨ信号が含まれる。すなわち、端末２００は、Ｎ個の下り単位バンドの下り制御チャネルで送信された、上り割当制御情報及び下り割当制御情報を受信し、下り割当制御情報が示す下りデータチャネルで送信された下り回線データを受信する。
【００７７】
ＣＰ除去部２０２は、受信処理後のＯＦＤＭ信号に付加されているＣＰを除去する。
【００７８】
ＦＦＴ部２０３は、受信ＯＦＤＭ信号をＦＦＴして周波数領域信号に変換し、得られた受信信号を抽出部２０４へ出力する。
【００７９】
抽出部２０４は、入力される符号化率情報に従って、ＦＦＴ部２０３から受け取る受信信号から下り制御チャネル信号（ＰＤＣＣＨ信号）を抽出する。すなわち、符号化率に応じて下り制御情報割当リソースを構成するＣＣＥの数が変わるので、抽出部２０４は、その符号化率に対応する個数のＣＣＥを抽出単位として、下り制御チャネル信号を抽出する。また、下り制御チャネル信号は、下り単位バンドごとに抽出される。抽出された下り制御チャネル信号は、復調部２０５へ出力される。
【００８０】
また、抽出部２０４は、判定部２０７から受け取る自機宛の下りデータ割当リソースに関する情報に基づいて、受信信号から下り回線データ（下りデータチャネル信号（ＰＤＳＣＨ信号））を抽出し、復調部２０９へ出力する。
【００８１】
復調部２０５は、抽出部２０４から受け取る下り制御チャネル信号を復調し、得られた復調結果を復号部２０６に出力する。
【００８２】
復号部２０６は、入力される符号化率情報に従って、復調部２０５から受け取る復調結果を復号して、得られた復号結果を判定部２０７に出力する。
【００８３】
判定部２０７は、復号部２０６から受け取る復号結果に含まれる制御情報が自機宛の制御情報であるか否かをブラインド判定する。この判定は、上記した抽出単位に対応する復号結果を単位として行われる。例えば、判定部２０７は、自機の端末ＩＤでＣＲＣビットをデマスキングし、ＣＲＣ＝ＯＫ（誤り無し）となった制御情報を自機宛の制御情報であると判定する。そして、判定部２０７は、自機宛の下り割当制御情報に含まれる、自機に対する下りデータ割当リソースに関する情報を抽出部２０４へ出力する。また、判定部２０７は、自機宛ての上り割当制御情報を制御部２０８へ出力する。
【００８４】
制御部２０８は、判定部２０７から受け取る上り割当制御情報に含まれる、自機に対する上りデータ割当リソースに関する情報に基づいて、上り回線データの送信に用いるＰＵＳＣＨリソース（上り単位バンドにおける周波数位置）を特定する。そして、制御部２０８は、特定したＰＵＳＣＨリソースをＩＦＦＴ部２１８に出力する。また、制御部２０８は、上り割当制御情報に基づいて、上り回線データの符号化率及び変調方式を特定し、特定した符号化率及び変調方式を符号化／変調部２１５に出力する。
【００８５】
また、制御部２０８は、上り回線データ、及び、下り回線データに対する応答信号が同一サブフレームで送信される場合には、上り回線データ及び応答信号を時間領域で多重（ＴＤＭ）するように、応答信号／データ多重部２１６及びＩＦＦＴ部２１８に指示する。このとき、制御部２０８は、下り割当制御情報の受信状況に基づいて、応答信号をマッピングする、ＰＵＳＣＨ内の領域を制御する。
【００８６】
また、制御部２０８は、自機宛ての制御情報がマッピングされていた下り単位バンドの識別情報を、ＡＣＫ／ＮＡＣＫ制御部２１２に出力する。
【００８７】
復調部２０９は、抽出部２０４から受け取る下り回線データを復調し、復調後の下り回線データを復号部２１０へ出力する。
【００８８】
復号部２１０は、復調部２０９から受け取る下り回線データを復号し、復号後の下り回線データをＣＲＣ部２１１へ出力する。
【００８９】
ＣＲＣ部２１１は、復号部２１０から受け取る復号後の下り回線データを生成し、ＣＲＣを用いて下り単位バンド毎に誤り検出し、ＣＲＣ＝ＯＫ（誤り無し）の場合にはＡＣＫを、ＣＲＣ＝ＮＧ（誤り有り）の場合にはＮＡＣＫを、ＡＣＫ／ＮＡＣＫ制御部２１２へ出力する。また、ＣＲＣ部２１１は、ＣＲＣ＝ＯＫ（誤り無し）の場合には、復号後の下り回線データを受信データとして出力する。
【００９０】
ＡＣＫ／ＮＡＣＫ制御部２１２は、自機に設定された単位バンドグループに含まれる各下り単位バンドで送信された下り回線データの受信状況に基づいて、自機が基地局１００へ送信すべき応答信号を生成する。
【００９１】
具体的には、ＡＣＫ／ＮＡＣＫ制御部２１２は、制御部２０８から入力される下り単位バンドの識別情報、及び、下り回線データの受信成否に基づいて、応答信号として束ＡＣＫ／ＮＡＣＫ信号を生成する。より詳細には、ＡＣＫ／ＮＡＣＫ制御部２１２は、端末２００が基本単位バンド（ＰＣＣ）のみで下り割当制御情報を受信した場合には、基本単位バンドの下り回線データに対する応答信号のみを生成し、生成した応答信号を符号化部２１３へ出力する。また、ＡＣＫ／ＮＡＣＫ制御部２１２は、端末２００が基本単位バンド以外の下り単位バンドにおいて１つでも下り割当制御情報を受信した場合には、基地局１００から端末２００に対して予め設定（configure）された下り単位バンド全てに対応する応答信号を生成する。ただし、この場合、ＡＣＫ／ＮＡＣＫ制御部２１２は、基地局１００から端末２００に対して設定されている下り単位バンドのうち、下り割当制御情報を受信しなかった下り単位バンドに対応する応答信号としてＮＡＣＫ（又はＤＴＸ）を設定する。そして、ＡＣＫ／ＮＡＣＫ制御部２１２は、端末２００に対して設定されている全ての下り単位バンドに対応する応答信号で構成される束ＡＣＫ／ＮＡＣＫ信号を符号化部２１３へ出力する。
【００９２】
符号化部２１３は、ＡＣＫ／ＮＡＣＫ制御部２１２から入力される応答信号を符号化して変調部２１４へ出力する。
【００９３】
変調部２１４は、符号化部２１３から入力される応答信号を変調し、変調後の応答信号を時間軸上の波形（Time domain signal）として、応答信号／データ多重部２１６に出力する。
【００９４】
符号化／変調部２１５は、制御部２０８から指示される符号化率及び変調方式を用いて、送信データ（すなわち、上り回線データ）の符号化処理及び変調処理を行い、変調後の信号を時間軸上の波形として、応答信号／データ多重部２１６に出力する。
【００９５】
応答信号／データ多重部２１６は、制御部２０８からの指示に従って、符号化／変調部２１５から入力される上り回線データと、変調部２１４から入力される応答信号とを時間領域で多重（ＴＤＭ）するか否かを決定する。具体的には、応答信号／データ多重部２１６は、上り回線データと応答信号とを時間領域で多重するように、制御部２０８から指示された場合、符号化／変調部２１５から入力される上り回線データと、変調部２１４から入力される応答信号を時間領域で多重し、多重後の信号をＤＦＴ部２１７へ出力する。また、応答信号／データ多重部２１６は、上り回線データと応答信号とを時間領域で多重しないように、制御部２０８から指示された場合には、符号化／変調部２１５から入力される上り回線データのみをＤＦＴ部２１７へ出力する（すなわち、上り回線データと応答信号とを時間領域で多重しない）。
【００９６】
ＤＦＴ部２１７は、応答信号／データ多重部２１６から入力される時間領域の信号（すなわち、時間領域のＰＵＳＣＨ信号）を、ＤＦＴ処理により、周波数領域の信号（すなわち、周波数領域のＰＵＳＣＨ信号）に変換し、周波数領域のＰＵＳＣＨ信号をＩＦＦＴ部２１８に出力する。
【００９７】
ＩＦＦＴ部２１８は、制御部２０８から指示されるリソース情報（ＰＵＳＣＨリソース）に基づいて、ＤＦＴ部２１７から入力されるＰＵＳＣＨ信号を周波数領域にマッピングしてＩＦＦＴ処理を施す。
【００９８】
ＣＰ付加部２１９は、ＩＦＦＴ処理後の時間領域の信号の後尾部分と同じ信号をＣＰとしてその信号の先頭に付加する。
【００９９】
無線送信部２２０は、ＣＰ付加部２１９から受け取る信号に対しＤ／Ａ変換、増幅及びアップコンバート等の送信処理を行い、送信処理後の信号をアンテナから基地局１００へ送信する。これにより、上り割当制御情報が示す上りデータチャネルで上り回線データが送信される。
【０１００】
［基地局１００及び端末２００の動作］
上述のように構成された基地局１００及び端末２００の動作について説明する。以下、端末２００において、上り回線データと、下り回線データに対する応答信号とが同一サブフレームで送信される場合における応答信号のマッピング方法ついて説明する。
【０１０１】
なお、基地局１００は、端末２００に対してCarrier aggregationによって通信を行う旨を予め設定している。つまり、基地局１００は、端末２００に対して複数の下り単位バンドを設定（configure）している。また、端末２００に設定された複数の下り単位バンドは、基本単位バンド（ＰＣＣ）と、基本単位バンド以外の単位バンド（ＳＣＣ：Secondary Component Carrier）とで構成される。
【０１０２】
また、基地局１００から下り割当制御情報及び下り回線データを受信した端末２００は、下り回線データの復号成否状況（受信成否状況）に応じて、各下り回線データに対応する応答信号としてＡＣＫ又はＮＡＣＫを設定する。
【０１０３】
また、以下の説明では、端末２００が１つの下り単位バンドにおいて受信した下り回線データに対する応答信号の情報数（応答信号情報数）を１つ又は２つとする。例えば、２つの下り回線データが空間分割多重（ＳＤＭ：Space Division Multiplexing）によって送信される場合、端末２００は、１つの下り単位バンドあたり２つの応答信号情報を生成する。ただし、下り回線データの送信にＳＤＭが適用されるか否かは下り単位バンド毎に独立に設定される。
【０１０４】
また、端末２００は、下り割当制御情報の受信状況に応じて、応答信号情報（ＡＣＫ又はＮＡＣＫ）のマッピング位置を決定する。ただし、以下の説明では、１つの応答信号情報がＡＣＫ又はＮＡＣＫを示す場合（すなわち、2 statesの場合）について説明するが、本発明は、１つの応答信号情報がＡＣＫ、ＮＡＣＫ又はＤＴＸのいずれかを示す場合（すなわち、3 statesの場合）についても適用することができる。
【０１０５】
以下、端末２００における応答信号のマッピング方法１及び２について説明する。
【０１０６】
＜マッピング方法１＞
以下、端末２００での各下り単位バンド（ＰＣＣ及びＳＣＣ）における下り割当制御情報の受信状況が異なる状態１、状態２及び状態３での応答信号のマッピング方法についてそれぞれ説明する。
【０１０７】
＜状態１：端末２００がＰＣＣのみで下り割当制御情報を受信した場合（図８Ａ参照）＞
端末２００がＰＣＣのみで下り割当制御情報を受信した場合、端末２００は、図８Ａに示すように、１つの下り単位バンド（ＰＣＣ）で受信した下り割当制御情報が示すＰＤＣＣＨで送信された下り回線データに対する応答信号（ＰＣＣに対応する応答信号。「Ａ／Ｎ（ＰＣＣ）」）のみを、Carrier aggregationによらない通信を行う端末（例えば、ＬＴＥ端末）と同様の方法（例えば、図２）を用いて送信する。
【０１０８】
具体的には、端末２００において、ＡＣＫ／ＮＡＣＫ制御部２１２は、ＰＣＣで受信した下り割当制御情報が示すＰＤＣＣＨで受信した下り回線データの復号成否（受信成否）に基づいて、ＰＣＣに対応する応答信号情報（１つ又は２つ）を生成する。
【０１０９】
ここで、応答信号情報が１つ（例えば1bit）の場合、まず、変調部２１４は、応答信号情報を変調し、応答信号シンボルを生成する。そして、変調部２１４は、応答信号シンボルを繰り返し配置（repetition）することにより、基地局１００から指示されたシンボル数で構成される「応答信号シンボルセット」を生成する。
【０１１０】
また、応答信号情報が２つ（例えば2bit）の場合、まず、符号化部２１３は応答信号情報を符号化して3bitの系列を生成し、変調部２１４は3bitの系列を変調して応答信号シンボルサブセット（例えば３シンボル）を生成する。そして、変調部２１４は、応答信号シンボルサブセットを繰り返し配置（repetition）することにより、基地局１００から指示されたシンボル数で構成される「応答信号シンボルセット」を生成する。
【０１１１】
なお、応答信号シンボルセットのシンボル数は、基地局１００から別途シグナリングされてもよいし、又は、例えば端末２００が送信する上り回線データの変調方式及び符号化率（ＭＣＳ：Modulation and Coding Scheme）に関連付けられて決定されてもよい（すなわち、上り回線データのＭＣＳに応じて、応答信号シンボルセットのシンボル数が決定されてもよい）。
【０１１２】
ただし、状態１において応答信号シンボルセットのシンボル数が上り回線データのＭＣＳに関連付けられて決定される場合には、応答信号シンボルセットのシンボル数は、端末２００が送信すべき応答信号情報数（例えば応答信号ビット数）も考慮して決定される。すなわち、上り回線データに同じＭＣＳが設定されるという条件下では、応答信号ビット数が１ビットの場合に対して応答信号ビット数が２ビットの場合の応答信号シンボルセットのシンボル数はほぼ２倍となる。
【０１１３】
次いで、端末２００の応答信号／データ多重部２１６は、制御部２０８からの指示に従って、生成したＰＣＣに対応する応答信号シンボルセットと、上り回線データとを、ＰＵＳＣＨで時間多重する。
【０１１４】
このとき、制御部２０８は、応答信号をマッピングするＰＵＳＣＨ内の領域を制御する。具体的には、制御部２０８は、ＰＣＣに対応する応答信号シンボルセットを、ＰＵＳＣＨ内の、基地局１００から割り当てられた領域（上り回線リソース）にマッピングする。例えば、制御部２０８は、ＰＣＣに対応する応答信号シンボルセットを、ＬＴＥシステム（図２）と同様の領域にマッピングする。又は、制御部２０８は、ＰＣＣに対応する応答信号シンボルセット（図８Ａに示すＡ／Ｎ（ＰＣＣ））を、図５Ａ（第２の方法）と同様にして、端末２００に割り当てられた下り割当制御情報の数（状態１ではＰＣＣのみ）に応じた領域にマッピングする。
【０１１５】
例えば、図８Ａに示すＰＵＳＣＨ内の参照信号（ＲＳ）がマッピングされるSC-FDMAシンボルに隣接する或るSC-FDMAシンボルに着目する。図８Ａに示すように、制御部２０８は、ＰＣＣに対応する応答信号シンボルセット（Ａ／Ｎ（ＰＣＣ））を、そのSC-FDMAシンボルの一部である領域１（図８Ａでは４つのリソースエレメント（ＲＥ：Resource Element））にマッピングする。なお、図８Ａにおいて、応答信号シンボルセットは、上り回線データをパンクチャしてマッピングされる。
【０１１６】
＜状態２：端末２００がＰＣＣ及びＳＣＣの双方で下り割当制御情報を受信した場合（図８Ｂ参照）＞
端末２００がＰＣＣ及びＳＣＣの双方で下り割当制御情報を受信した場合、端末２００は、図８Ｂに示すように、端末２００に設定された複数の下り単位バンド（ＰＣＣ及びＳＣＣ）で受信した下り割当制御情報が示すＰＤＳＣＨで送信された下り回線データに対する応答信号（ＰＣＣ及びＳＣＣのそれぞれに対応する応答信号。「ＡＣＫ／ＮＡＣＫ（ＰＣＣ＋ＳＣＣ）」）を送信する。
【０１１７】
具体的には、端末２００において、ＡＣＫ／ＮＡＣＫ制御部２１２は、端末２００に設定された複数の下り単位バンドのうち、下り割当制御情報を受け取った下り単位バンド（ＰＣＣ及び下り割当制御情報を受け取ったＳＣＣ）で受信した下り回線データの復号成否（受信成否）に基づいて、当該下り単位バンドに対応する応答信号情報（各下り単位バンドで１つ又は２つ）を生成する。
【０１１８】
更に、ＡＣＫ／ＮＡＣＫ制御部２１２は、端末２００に設定された複数の下り単位バンドのうち、下り割当制御情報を受け取った下り単位バンド以外の下り単位バンド（下り割当制御情報を受け取っていないＳＣＣ）に対応する応答信号情報としてＮＡＣＫ（又はＤＴＸ）を設定する。
【０１１９】
このようにして、端末２００がＰＣＣ及びＳＣＣの双方で下り割当制御情報を受信した場合（状態２）、端末２００は、端末２００に設定された全ての下り単位バンドに対応する応答信号情報を生成する。つまり、状態２では、端末２００から基地局１００へ送信される応答信号情報の数は、端末２００が下り割当制御情報を受信した下り単位バンド（基地局からAssignされた下り単位バンド）の数にかかわらず、端末２００に設定（configure）された下り単位バンドの数（及び、各下り単位バンドでＳＤＭが適用されているか否か）によって一意に決定される。
【０１２０】
そして、符号化部２１３は、端末２００に設定された全ての下り単位バンドに対応する応答信号情報（ＰＣＣに対応するＡＣＫ／ＮＡＣＫ、及び、ＳＣＣに対応するＡＣＫ、ＮＡＣＫ又はＤＴＸ）をまとめて符号化（例えば、ブロック符号化）し、変調部２１４は、符号化後の応答信号情報を変調して、応答信号シンボルサブセットを生成する。そして、変調部２１４は、応答信号シンボルサブセットを繰り返し配置（repetition）することにより、基地局１００から指示されたシンボル数で構成される「応答信号シンボルセット」を生成する。
【０１２１】
なお、応答信号シンボルセットのシンボル数は、基地局１００から別途シグナリングされてもよいし、又は、例えば端末２００が送信する上り回線データの変調方式及び符号化率（ＭＣＳ）に関連付けられて決定されてもよい。
【０１２２】
ただし、状態２において応答信号シンボルセットのシンボル数が上り回線データのＭＣＳに関連付けられて決定される場合には、応答信号シンボルセットのシンボル数は、端末２００が送信すべき応答信号情報（応答信号ビット）の総数（すなわち、端末２００に設定された各下り単位バンドに対応する応答信号情報を全て送信するために必要なビット数）も考慮して決定される。すなわち、上り回線データに同じＭＣＳが設定されるという条件下では、応答信号ビット数が１ビットの場合に対して応答信号ビット数がＮビットの場合の応答信号シンボルセットのシンボル数はほぼＮ倍となるように決定される。
【０１２３】
次いで、端末２００の応答信号／データ多重部２１６は、制御部２０８からの指示に従って、生成した応答信号シンボルセットと、上り回線データとを、ＰＵＳＣＨで時間多重する。
【０１２４】
このとき、制御部２０８は、応答信号をマッピングするＰＵＳＣＨ内の領域を制御する。具体的には、制御部２０８は、端末２００に設定された全ての下り単位バンド（ＰＣＣ及びＳＣＣ）に対応する応答信号シンボルセット（図８Ｂに示すＡ／Ｎ（ＰＣＣ＋ＳＣＣ））を、ＰＵＳＣＨ内の、基地局１００から割り当てられた領域（上り回線リソース）にマッピングする。例えば、制御部２０８は、端末２００に設定された全ての下り単位バンドに対応する応答信号シンボルセットを、ＰＵＳＣＨ内の「端末２００に設定された下り単位バンド数に応じて決定される領域」にマッピングする。
【０１２５】
例えば、図８Ｂに示すＰＵＳＣＨ内の参照信号（ＲＳ）がマッピングされるSC-FDMAシンボルに隣接する或るSC-FDMAシンボルに着目する。図８Ｂに示すように、制御部２０８は、端末２００に設定された全ての下り単位バンド（ＰＣＣ及びＳＣＣ）に対応する応答信号シンボルセット（Ａ／Ｎ（ＰＣＣ＋ＳＣＣ））を、図４（第１の方法）と同様にして、端末２００に設定された下り単位バンド数に応じて決定される領域である領域２（図８Ｂでは１２ＲＥ）にマッピングする。つまり、図８Ｂに示す領域２は、端末２００に設定されている下り単位バンドが変更されるまでは固定の領域である。なお、図８Ｂにおいて、応答信号シンボルセットは、上り回線データをパンクチャしてマッピングされる。
【０１２６】
＜状態３：端末２００がＳＣＣのみで下り割当制御情報を受信した場合（図８Ｂ参照）＞
端末２００がＳＣＣのみで下り割当制御情報を受信した場合、端末２００は、状態２と同様にして、図８Ｂに示すように、端末２００に設定された複数の下り単位バンド（ＰＣＣ及びＳＣＣ）で受信した下り割当制御情報が示すＰＤＳＣＨで送信された下り回線データに対する応答信号（ＰＣＣ及びＳＣＣのそれぞれに対応する応答信号。「ＡＣＫ／ＮＡＣＫ（ＰＣＣ＋ＳＣＣ）」）を送信する。
【０１２７】
具体的には、端末２００において、ＡＣＫ／ＮＡＣＫ制御部２１２は、端末２００に設定された複数の下り単位バンドのうち、下り割当制御情報を受け取った下り単位バンド（ＳＣＣ）で受信した下り回線データの復号成否（受信成否）に基づいて、当該下り単位バンドに対応する応答信号情報（各下り単位バンドで１つ又は２つ）を生成する。
【０１２８】
更に、ＡＣＫ／ＮＡＣＫ制御部２１２は、ＰＣＣに対応する応答信号情報として、ＮＡＣＫ（又はＤＴＸ）を設定する。更に、ＡＣＫ／ＮＡＣＫ制御部２１２は、端末２００に設定された複数の下り単位バンドのうち、下り割当制御情報を受け取ったＳＣＣ以外のＳＣＣ（下り割当制御情報を受け取っていないＳＣＣ）に対応する応答信号情報としてＮＡＣＫ（又はＤＴＸ）を設定する。
【０１２９】
このようにして、端末２００がＳＣＣのみで下り割当制御情報を受信した場合（状態３）、状態２と同様、端末２００は、端末２００に設定された全ての下り単位バンドに対応する応答信号情報を生成する。つまり、状態３では、端末２００から基地局１００へ送信される応答信号情報の数は、端末２００が下り割当制御情報を受信した下り単位バンド（基地局からAssignされた下り単位バンド）の数にかかわらず、端末２００に設定（configure）された下り単位バンドの数（及び、各下り単位バンドでＳＤＭが適用されているか否か）によって一意に決定される。
【０１３０】
そして、状態２と同様、符号化部２１３は、端末２００に設定された全ての下り単位バンドに対応する応答信号情報（ＰＣＣに対応するＮＡＣＫ（又はＤＴＸ）、及び、ＳＣＣに対応するＡＣＫ、ＮＡＣＫ又はＤＴＸ）をまとめて符号化（例えば、ブロック符号化）し、変調部２１４は、符号化後の応答信号情報を変調して、応答信号シンボルサブセットを生成する。そして、変調部２１４は、応答信号シンボルサブセットを繰り返し配置（repetition）することにより、基地局１００から指示されたシンボル数で構成される「応答信号シンボルセット」を生成する。
【０１３１】
なお、応答信号シンボルセットのシンボル数は、基地局１００から別途シグナリングされてもよいし、又は、例えば端末２００が送信する上り回線データの変調方式及び符号化率（ＭＣＳ）に関連付けられて決定されてもよい。
【０１３２】
ただし、状態３において応答信号シンボルセットのシンボル数が上り回線データのＭＣＳに関連付けられて決定される場合には、応答信号シンボルセットのシンボル数は、端末２００が送信すべき応答信号情報（応答信号ビット）の総数（すなわち、端末２００に設定された各下り単位バンドに対応する応答信号情報を全て送信するために必要なビット数）も考慮して決定される。すなわち、上り回線データに同じＭＣＳが設定されるという条件下では、応答信号ビット数が１ビットの場合に対して応答信号ビット数がＮビットの場合の応答信号シンボルセットのシンボル数はほぼＮ倍となるように決定される。
【０１３３】
次いで、端末２００の応答信号／データ多重部２１６は、制御部２０８からの指示に従って、生成した応答信号シンボルセットと、上り回線データとを、ＰＵＳＣＨで時間多重する。
【０１３４】
このとき、制御部２０８は、応答信号をマッピングするＰＵＳＣＨ内の領域を制御する。具体的には、制御部２０８は、状態２と同様、端末２００に設定された全ての下り単位バンド（ＰＣＣ及びＳＣＣ）に対応する応答信号シンボルセットを、ＰＵＳＣＨ内の、基地局１００から割り当てられた領域（上り回線リソース）にマッピングする。例えば、制御部２０８は、状態２と同様、端末２００に設定された全ての下り単位バンドに対応する応答信号シンボルセットを、ＰＵＳＣＨ内の「端末２００に設定された下り単位バンド数に応じて決定される領域」にマッピングする。
【０１３５】
例えば、図８Ｂに示すＰＵＳＣＨ内の参照信号（ＲＳ）がマッピングされるSC-FDMAシンボルに隣接する或るSC-FDMAシンボルに着目する。図８Ｂに示すように、制御部２０８は、端末２００に設定された全ての下り単位バンド（ＰＣＣ及びＳＣＣ）に対応する応答信号シンボルセット（Ａ／Ｎ（ＰＣＣ＋ＳＣＣ））を、図４（第１の方法）と同様にして、端末２００に設定された下り単位バンド数に応じて決定される領域である領域２（１２ＲＥ）にマッピングする。なお、図８Ｂにおいて、応答信号シンボルセットは、上り回線データをパンクチャしてマッピングされる。
【０１３６】
以上、端末２００における下り割当制御情報の受信状況が異なる状態１、状態２及び状態３でのマッピング方法について説明した。
【０１３７】
このように、マッピング方法１では、端末２００は、上り回線データと応答信号とを同一のサブフレーム（送信単位時間）内で送信する場合、端末２００に設定された複数の単位バンドのうち、ＰＣＣ以外の下り単位バンド（ＳＣＣ）において少なくとも１つの下り割当制御情報を受信した場合（状態２又は状態３）には、端末２００に設定された複数の下り単位バンド（ＰＣＣ及びＳＣＣ）にそれぞれ対応する複数の応答信号（応答信号シンボルセット）を、ＰＵＳＣＨ内の、端末２００に設定された複数の下り単位バンドの数に応じて決定される領域（図８Ｂに示す領域２）にマッピングする。
【０１３８】
これに対して、端末２００は、上り回線データと応答信号とを同一のサブフレーム（送信単位時間）内で送信する場合、端末２００に設定された複数の単位バンドのうち、ＰＣＣのみで下り割当制御情報を受信した場合（状態１）には、ＰＣＣに対応する応答信号（応答信号シンボルセット）を、ＰＵＳＣＨ内の領域であって、状態２及び状態３で応答信号がマッピングされる領域（図８Ｂでは領域２）よりも小さい領域（図８Ａでは領域１）にマッピングする。
【０１３９】
上述したように、基地局１００は、上位レイヤのシグナリング（例えば、RRC Signaling）によって端末２００に対してCarrier aggregationを設定する。ただし、上位レイヤのシグナリングは高速に制御できず、基地局１００は、端末２００に設定する下り単位バンド数を頻繁に変更することができない。このため、基地局１００は、端末２００に対してCarrier aggregationによって大量のデータを送信した後も、Carrier aggregationの設定を瞬時に変更することができない。
【０１４０】
よって、基地局１００が端末２００に対してCarrier aggregationを設定しているにもかかわらず、複数の単位バンドを用いた通信が必ずしも必要ではない期間が長く発生する。すなわち、基地局１００が端末２００に対してCarrier aggregationを設定しても、大部分の時間（大部分のサブフレーム）では、Non-Carrier aggregation assignmentによる通信（１つの下り単位バンドのみを用いた通信）が行われる。
【０１４１】
また、基地局１００は、Non-Carrier aggregation assignmentによる通信を行う際には、ＰＣＣ（基本単位バンド）を用いる。すなわち、Non-Carrier aggregation assignment時には、ＰＣＣ以外の下り単位バンド（ＳＣＣ）のみを用いて下り回線データが送信される状況は稀である。これは、ＰＣＣ以外の下り単位バンド（ＳＣＣ）では、端末２００側の電力効率を向上させるために、端末２００が一部の期間で下り回線データ及び下り割当制御情報をモニタしない状況が発生するためである。
【０１４２】
つまり、基地局１００が端末２００に対して複数の下り単位バンド（Carrier aggregation）を設定しても、大部分の時間（大部分のサブフレーム）では、状態１（ＰＣＣのみを用いた通信。Non-Carrier aggregation assignmentによる通信）が行われる。よって、基地局１００と端末２００との間の通信では、状態１（図８Ａ）の発生頻度の方が、状態２又は状態３（図８Ｂ）の発生頻度よりも多くなる。つまり、基地局１００が端末２００に対して複数の下り単位バンド（Carrier aggregation）を設定した場合でも、図８Ａに示すように応答信号（応答信号シンボルセット）がＰＵＳＣＨ内の、領域２よりも小さい領域１（例えば、ＬＴＥシステムと同様にして決定される領域）にマッピングされる頻度が高くなる。一方、図８Ｂに示すように応答信号（応答信号シンボルセット）がＰＵＳＣＨ内の「端末２００に設定された全ての下り単位バンドの数に応じて決定された領域」である領域２にマッピングされる頻度が低くなる。
【０１４３】
従って、マッピング方法１では、ＰＵＳＣＨリソースにおいて、応答信号によって上り回線データがパンクチャされる状況を、第１の方法（図４）と比較して大幅に削減することができる。換言すると、マッピング方法１では、端末２００がＰＣＣのみで下り割当制御情報（つまり、下り回線データ）を受信した場合には、ＰＵＳＣＨリソースにおいて応答信号によって上り回線データがパンクチャされる状況を、ＬＴＥシステム（図２）と同程度に抑えることができる。
【０１４４】
また、マッピング方法１では、「基地局１００と端末２００との間の応答信号領域の認識違い」は、ＳＣＣで送信された下り割当制御情報を端末２００が全て受信失敗した場合のみに発生する。すなわち、端末２００において、複数のＳＣＣにおいて少なくとも１つの下り割当制御情報を受信できれば「基地局１００と端末２００との間の応答信号領域の認識違い」は発生しない。
【０１４５】
よって、第２の方法（図５Ａ及び図５Ｂ）では「基地局１００と端末２００との間の応答信号領域の認識違い」が下り単位バンド数の増加に伴い線形的に増加する問題があるのに対して、マッピング方法１では、「基地局１００と端末２００との間の応答信号領域の認識違い」が発生する状況を大幅に削減できる。つまり、マッピング方法１では、「基地局１００と端末２００との間の応答信号領域の認識違い」は、下り単位バンド数の増加に伴い減少する。例えば、端末２００に２つの下り単位バンド（ＰＣＣ及びＳＣＣ）が設定された場合に、下り割当制御情報のＢＬＥＲ（Block error rate）を１％とすると、「基地局１００と端末２００との間の応答信号領域の認識違い」は最大でも約１％（つまり、１つのＳＣＣで下り割当制御情報が送信されたにもかかわらず端末２００が下り割当制御情報を受信できない場合のみ）に抑えることができる。
【０１４６】
このように、マッピング方法１によれば、複数の下り単位バンドを用いたCarrier aggregationが適用されるＬＴＥ−Ａシステムにおいて、端末が上り回線データと応答信号とを同一のサブフレーム内で同時に送信する場合でも、応答信号によって上り回線データがパンクチャされる状況を削減できるとともに、基地局と端末との間でＰＵＳＣＨ内の応答信号領域に関する認識違いを発生しにくくすることができる。
【０１４７】
＜マッピング方法２＞
マッピング方法２では、マッピング方法１において「基地局１００と端末２００との間の応答信号領域の認識違い」が発生した場合（つまり、ＳＣＣで送信された下り割当制御情報を端末２００が全て受信失敗した場合）でも、基地局がＰＣＣに対応する応答信号情報を確実に受信できる方法について説明する。
【０１４８】
以下、マッピング方法１と同様、端末２００での各下り単位バンド（ＰＣＣ及びＳＣＣ）における下り割当制御情報の受信状況が異なる状態１、状態２及び状態３での応答信号のマッピング方法についてそれぞれ説明する。
【０１４９】
＜状態１：端末２００がＰＣＣのみで下り割当制御情報を受信した場合（図８Ａ参照）＞
端末２００がＰＣＣのみで下り割当制御情報を受信した場合、端末２００は、マッピング方法１と同様の処理を行う。
【０１５０】
すなわち、端末２００（ＡＣＫ／ＮＡＣＫ制御部２１２）は、マッピング方法１の状態１と同様、ＰＣＣで受信した下り割当制御情報が示すＰＤＳＣＨで受信した下り回線データの復号成否（受信成否）に基づいて応答信号情報（１つ又は２つ）を生成する。また、端末２００（符号化部２１３及び変調部２１４）は、マッピング方法１の状態１と同様、応答信号情報の数（応答信号ビット数）に応じて、応答信号情報の符号化及び変調を行い、基地局１００から指示されたシンボル数で構成される「応答信号シンボルセット」を生成する。
【０１５１】
そして、端末２００（応答信号／データ多重部２１６）は、生成したＰＣＣに対応する応答信号シンボルセットと、上り回線データとをＰＵＳＣＨで時間多重する。このとき、制御部２０８は、応答信号をマッピングするＰＵＳＣＨ内の領域を制御する。具体的には、端末２００の制御部２０８は、マッピング方法１の状態１と同様、ＰＣＣに対応する応答信号シンボルセットを、例えば、ＰＵＳＣＨ内の、ＬＴＥシステム（図２）と同様の領域（図８Ａに示す領域１）にマッピングする。又は、制御部２０８は、ＰＣＣに対応する応答信号シンボルセット（図８Ａに示すＡ／Ｎ（ＰＣＣ））を、図５Ａ（第２の方法）と同様にして、端末２００に割り当てられた下り割当制御情報の数（状態１ではＰＣＣのみ）に応じた領域（図８Ａに示す領域１）にマッピングする。なお、図８Ａにおいて、応答信号シンボルセットは、上り回線データをパンクチャしてマッピングされる。
【０１５２】
＜状態２：端末２００がＰＣＣ及びＳＣＣの双方で下り割当制御情報を受信した場合（図９Ａ参照）＞
端末２００がＰＣＣ及びＳＣＣの双方で下り割当制御情報を受信した場合、端末２００は、図９Ａに示すように、端末２００に設定された複数の下り単位バンド（ＰＣＣ及びＳＣＣ）で受信した下り割当制御情報が示すＰＤＳＣＨで送信された下り回線データに対する応答信号（ＰＣＣ及びＳＣＣのそれぞれに対応する応答信号。「Ａ／Ｎ（ＰＣＣ）」及び「Ａ／Ｎ（ＳＣＣ）」）を送信する。
【０１５３】
具体的には、端末２００において、ＡＣＫ／ＮＡＣＫ制御部２１２は、状態１（図８Ａ）と同様にして、端末２００に設定された複数の下り単位バンドのうち、ＰＣＣに対応する応答信号情報を生成する。そして、変調部２１４は、ＰＣＣに対応する応答信号情報を繰り返し配置（repetition）することにより、ＰＣＣに対応する応答信号シンボルセット（「ＰＣＣ応答信号シンボルセット」）を生成する。
【０１５４】
更に、ＡＣＫ／ＮＡＣＫ制御部２１２は、端末２００に設定された複数の下り単位バンドのうち、全てのＳＣＣに対応する応答信号情報を生成する。つまり、ＡＣＫ／ＮＡＣＫ制御部２１２は、下り割当制御情報を受け取ったＳＣＣで受信した下り回線データの復号成否（受信成否）に基づいて、当該ＳＣＣに対応する応答信号情報（各下り単位バンドで１つ又は２つ）を生成する。また、ＡＣＫ／ＮＡＣＫ制御部２１２は、端末２００に設定された複数の下り単位バンドのうち、下り割当制御情報を受け取ったＳＣＣ以外のＳＣＣに対応する応答信号情報としてＮＡＣＫ（又はＤＴＸ）を設定する。そして、符号化部２１３は、全てのＳＣＣに対応する応答信号情報をまとめて符号化（例えばブロック符号化）し、変調部２１４は、符号化後の応答信号情報を変調することにより、ＳＣＣに対応する応答信号シンボルサブセット（「ＳＣＣ応答信号シンボルサブセット」）を生成する。そして、変調部２１４は、ＳＣＣ応答信号シンボルサブセットを繰り返し配置（repetition）することにより、基地局１００から指示されたシンボル数で構成される「ＳＣＣ応答信号シンボルセット」を生成する。
【０１５５】
このようにして、端末２００がＰＣＣ及びＳＣＣの双方で下り割当制御情報を受信した場合（状態２）、端末２００は、マッピング方法１の状態２（及び状態３）と同様、端末２００に設定された全ての下り単位バンドに対応する応答信号情報を生成する。ただし、端末２００は、端末２００に設定された複数の下り単位バンドにおいて、ＰＣＣに対応する応答信号と、ＳＣＣに対応する応答信号とをそれぞれ個別に符号化（separate coding）する。これにより、端末２００では、ＰＣＣ応答信号シンボルセットとＳＣＣ応答信号シンボルセットとが生成される。
【０１５６】
なお、マッピング方法１と同様、応答信号シンボルセットのシンボル数は、基地局１００から別途シグナリングされてもよいし、又は、例えば端末２００が送信する上り回線データの変調方式及び符号化率（ＭＣＳ）に関連付けられて決定されてもよい。更に、ＰＣＣ応答信号シンボルセットのシンボル数及びＳＣＣ応答信号シンボルセットのシンボル数は独立に決定されてもよい。ただし、状態２において応答信号シンボルセットのシンボル数が上り回線データのＭＣＳに関連付けられて決定される場合には、応答信号シンボルセットのシンボル数は、端末２００が送信すべきＰＣＣに対応する応答信号情報のビット総数、及び、ＳＣＣの組に対応する応答信号情報のビット総数も考慮して決定される。
【０１５７】
次いで、端末２００の応答信号／データ多重部２１６は、制御部２０８からの指示に従って、生成した応答信号シンボルセットと、上り回線データとを、ＰＵＳＣＨで時間多重する。
【０１５８】
このとき、制御部２０８は、応答信号をマッピングするＰＵＳＣＨ内の領域を制御する。具体的には、制御部２０８は、端末２００に設定された全ての下り単位バンド（ＰＣＣ及びＳＣＣ）に対応する応答信号シンボルセット（図９Ａに示すＡ／Ｎ（ＰＣＣ）及びＡ／Ｎ（ＳＣＣ））を、ＰＵＳＣＨ内の、基地局１００から割り当てられた領域（上り回線リソース）にマッピングする。例えば、制御部２０８は、ＰＣＣに対応するＰＣＣ応答信号シンボルセットを、状態１と同様に、ＰＵＳＣＨ内の「ＰＣＣのみに応じた領域（図９Ａに示す領域１）」にマッピングするとともに、端末２００に設定された全てのＳＣＣに対応するＳＣＣ応答信号シンボルセットを、ＰＵＳＣＨ内の「端末２００に設定されたＳＣＣの数に応じて決定される領域（図９Ａに示す領域３）」にマッピングする。
【０１５９】
例えば、図９Ａに示すＰＵＳＣＨ内の参照信号（ＲＳ）がマッピングされるSC-FDMAシンボルに隣接する或るSC-FDMAシンボルに着目する。図９Ａに示すように、制御部２０８は、ＰＣＣ応答信号シンボルセット（Ａ／Ｎ（ＰＣＣ））を図９Ａに示す領域１にマッピングする一方、ＳＣＣ応答信号シンボルセット（Ａ／Ｎ（ＳＣＣ））を、端末２００に設定されたＳＣＣの数に応じて決定される領域である領域３（図９Ａでは８ＲＥ）にマッピングする。つまり、図９Ａに示す領域３は、端末２００に設定されているＳＣＣ数（すなわち、ＰＣＣ以外の下り単位バンド数）が変更されるまでは固定の領域である。
【０１６０】
ここで、図９Ａに示すように、領域３（端末２００に設定されたＳＣＣの数に応じて決定される固定の領域）は、状態１（図８Ａ）におけるＰＣＣに対応する応答信号シンボルセット（Ａ／Ｎ（ＰＣＣ））がマッピングされる領域（領域１）と異なるＲＥに配置される。そして、図９Ａに示すように、制御部２０８は、ＰＣＣ応答信号シンボルセット（Ａ／Ｎ（ＰＣＣ））を領域１（４ＲＥ）にマッピングし、ＳＣＣ応答信号シンボルセット（Ａ／Ｎ（ＳＣＣ））を、領域１以外の領域３（８ＲＥ）にマッピングする。なお、図９Ａにおいて、応答信号シンボルセットは、上り回線データをパンクチャしてマッピングされる。
【０１６１】
すなわち、状態１（図８Ａ）及び状態２（図９Ａ）において、ＰＣＣ向けの応答信号情報がマッピングされるＰＵＳＣＨ内の領域は変化しない。一方、状態２では、ＳＣＣ応答信号シンボルセットは、端末２００に設定されたＳＣＣの数に応じて決定される、領域１とは異なる領域（領域３）にマッピングされる。図９Ａでは、ＳＣＣ応答信号シンボルセットは、ＰＣＣ応答信号シンボルセットがマッピングされた領域１に隣接する領域にマッピングされる。換言すると、図９Ａでは、ＳＣＣ応答信号シンボルセットは、ＬＴＥシステム（図２）で応答信号が占有するＲＥの続きのＲＥにマッピングされる。
【０１６２】
＜状態３：端末２００がＳＣＣのみで下り割当制御情報を受信した場合（図９Ｂ参照）＞
端末２００がＳＣＣのみで下り割当制御情報を受信した場合、端末２００は、状態２と同様にして、図９Ｂに示すように、端末２００に設定された複数の下り単位バンド（ＰＣＣ及びＳＣＣ）で受信した下り割当制御情報が示すＰＤＳＣＨで送信された下り回線データに対する応答信号（ＰＣＣ及びＳＣＣのそれぞれに対応する応答信号。「Ａ／Ｎ（ＰＣＣ）」及び「Ａ／Ｎ（ＳＣＣ）」）を送信する。
【０１６３】
具体的には、端末２００において、ＡＣＫ／ＮＡＣＫ制御部２１２は、端末２００に設定された複数の下り単位バンドのうち、ＰＣＣに対応する応答信号情報としてＮＡＣＫ（又はＤＴＸ）を設定する。そして、変調部２１４は、ＰＣＣに対応する応答信号情報を繰り返し配置（repetition）することにより「ＰＣＣ応答信号シンボルセット」を生成する。
【０１６４】
更に、ＡＣＫ／ＮＡＣＫ制御部２１２は、端末２００に設定された複数の下り単位バンドのうち、全てのＳＣＣに対応する応答信号情報を生成する。つまり、ＡＣＫ／ＮＡＣＫ制御部２１２は、状態２と同様、下り割当制御情報を受け取ったＳＣＣで受信した下り回線データの復号成否（受信成否）に基づいて、当該ＳＣＣに対応する応答信号情報（各下り単位バンドで１つ又は２つ）を生成する。また、ＡＣＫ／ＮＡＣＫ制御部２１２は、端末２００に設定された複数の下り単位バンドのうち、下り割当制御情報を受け取ったＳＣＣ以外のＳＣＣに対応する応答信号情報としてＮＡＣＫ（又はＤＴＸ）を設定する。そして、符号化部２１３は、全てのＳＣＣに対応する応答信号情報をまとめて符号化（例えばブロック符号化）し、変調部２１４は、符号化後の応答信号情報を変調することにより「ＳＣＣ応答信号シンボルサブセット」を生成する。そして、変調部２１４は、ＳＣＣ応答信号シンボルサブセットを繰り返し配置（repetition）することにより、基地局１００から指示されたシンボル数で構成される「ＳＣＣ応答信号シンボルセット」を生成する。
【０１６５】
このようにして、端末２００がＰＣＣ及びＳＣＣの双方で下り割当制御情報を受信した場合には、端末２００は、状態２と同様、端末２００に設定された複数の下り単位バンドにおいて、ＰＣＣに対応する応答信号と、ＳＣＣに対応する応答信号とを別々に符号化（separate coding）する。これにより、端末２００では、ＰＣＣ応答信号シンボルセットとＳＣＣ応答信号シンボルセットとが生成される。
【０１６６】
なお、応答信号シンボルセットのシンボル数は、基地局１００から別途シグナリングされてもよいし、又は、例えば端末２００が送信する上り回線データの変調方式及び符号化率（ＭＣＳ）に関連付けられて決定されてもよい。更に、ＰＣＣ応答信号シンボルセットのシンボル数及びＳＣＣ応答信号シンボルセットのシンボル数は独立に決定されてもよい。ただし、状態３において応答信号シンボルセットのシンボル数が上り回線データのＭＣＳに関連付けられて決定される場合には、応答信号シンボルセットのシンボル数は、端末２００が送信すべきＰＣＣに対応する応答信号情報のビット総数、及び、ＳＣＣの組に対応する応答信号情報のビット総数も考慮して決定される。
【０１６７】
次いで、端末２００の応答信号／データ多重部２１６は、制御部２０８からの指示に従って、生成した応答信号シンボルセットと、上り回線データとを、ＰＵＳＣＨで時間多重する。
【０１６８】
このとき、制御部２０８は、応答信号をマッピングするＰＵＳＣＨ内の領域を制御する。具体的には、制御部２０８は、端末２００に設定された全ての下り単位バンド（ＰＣＣ及びＳＣＣ）に対応する応答信号シンボルセット（図９Ｂに示すＮＡＣＫ（Ａ／Ｎ（ＰＣＣ））及びＡ／Ｎ（ＳＣＣ））を、ＰＵＳＣＨ内の、基地局１００から割り当てられた領域（上り回線リソース）にマッピングする。例えば、制御部２０８は、状態２と同様、ＰＣＣに対応するＰＣＣ応答信号シンボルセットを、ＰＵＳＣＨ内の「ＰＣＣのみに応じた領域（図９Ｂに示す領域１）」にマッピングするとともに、端末２００に設定された全てのＳＣＣに対応するＳＣＣ応答信号シンボルセットを、ＰＵＳＣＨ内の「端末２００に設定されたＳＣＣの数に応じて決定される領域（図９Ｂに示す領域３）」にマッピングする。
【０１６９】
例えば、図９Ｂに示すＰＵＳＣＨ内の参照信号（ＲＳ）がマッピングされるSC-FDMAシンボルに隣接する或るSC-FDMAシンボルに着目する。図９Ｂに示すように、制御部２０８は、状態２と同様にして、ＰＣＣ応答信号シンボルセット（Ａ／Ｎ（ＰＣＣ））を図９Ｂに示す領域１にマッピングする一方、ＳＣＣ応答信号シンボルセット（Ａ／Ｎ（ＳＣＣ））を、端末２００に設定されたＳＣＣの数に応じて決定される領域である領域３（図９Ｂでは８ＲＥ）にマッピングする。つまり、図９Ｂに示す領域３は、端末２００に設定されているＳＣＣ（すなわち、下り単位バンド数）が変更されるまでは固定の領域である。
【０１７０】
ただし、状態２（図９Ａ）と同様、図９Ｂに示すように、制御部２０８は、ＰＣＣ応答信号シンボルセット（Ａ／Ｎ（ＰＣＣ）。ここではＮＡＣＫ）を領域１（４ＲＥ）にマッピングし、ＳＣＣ応答信号シンボルセット（Ａ／Ｎ（ＳＣＣ））を、領域３（８ＲＥ）にマッピングする。なお、図９Ｂにおいて、応答信号シンボルセットは、上り回線データをパンクチャしてマッピングされる。
【０１７１】
すなわち、状態２（図９Ａ）と同様、状態１（図８Ａ）及び状態３（図９Ｂ）において、ＰＣＣ向けの応答信号情報（ＮＡＣＫ）がマッピングされるＰＵＳＣＨ内の領域は変化しない。また、状態２（図９Ａ）と同様、状態３（図９Ｂ）では、ＳＣＣ応答信号シンボルセットは、端末２００に設定されたＳＣＣの数に応じて決定される領域（領域３）にマッピングされる。つまり、図９Ｂでは、９Ａと同様、ＳＣＣ応答信号シンボルセットは、ＰＣＣ応答信号シンボルセットがマッピングされた領域１（ＬＴＥシステム（図２）で応答信号が占有するＲＥ）と異なる領域（例えば、領域１（４ＲＥ）の続きのＲＥ）にマッピングされる。
【０１７２】
以上、端末２００における下り割当制御情報の受信状況が異なる状態１、状態２及び状態３での応答信号のマッピング方法について説明した。
【０１７３】
このように、マッピング方法２では、端末２００は、上り回線データと応答信号とを同一のサブフレーム（送信単位時間）内で送信する場合、端末２００に設定された複数の単位バンドのうち、ＰＣＣのみで下り割当制御情報を受信した場合（状態１）には、マッピング方法１と同様、ＰＣＣに対応する応答信号（応答信号シンボルセット）を、ＰＵＳＣＨ内の領域であって、状態２及び状態３で応答信号がマッピングされる領域（図９Ａ及び図９Ｂに示す領域１と領域３の合計）よりも小さい領域（図８Ａに示す領域１）にマッピングする。
【０１７４】
また、端末２００は、上り回線データと応答信号とを同一のサブフレーム（送信単位時間）内で送信する場合、端末２００に設定された複数の単位バンドのうち、ＰＣＣ以外の下り単位バンド（ＳＣＣ）において少なくとも１つの下り割当制御情報を受信した場合（状態２及び状態３）には、ＰＣＣに対応するＰＣＣ応答信号シンボルセットを、ＰＵＳＣＨ内の「ＰＣＣのみに応じた領域（図９Ｂに示す領域１）」にマッピングするとともに、端末２００に設定された全てのＳＣＣに対応するＳＣＣ応答信号シンボルセットを、ＰＵＳＣＨ内の「端末２００に設定されたＳＣＣの数に応じて決定される領域（図９Ｂに示す領域３）」にマッピングする。ただし、このとき、図９Ａ及び図９Ｂに示すように、領域１と領域３とは互いに異なる領域であり、端末２００は、ＰＣＣに対応する応答信号（ＰＣＣ応答信号シンボルセット）を領域１にマッピングし、ＳＣＣに対応する応答信号（ＳＣＣ応答信号シンボルセット）を、領域１以外の領域３にマッピングする。
【０１７５】
つまり、端末２００は、ＰＣＣに対応する応答信号（ＰＣＣ応答信号シンボルセット）を、図８Ａ、図９Ａ及び図９Ｂに示す領域１（ＬＴＥシステム（図２）と同様の領域）で常に送信する。一方、端末２００は、ＳＣＣで下り割当制御情報を受信した場合にのみ、図９Ａ及び図９Ｂに示す領域１以外の追加領域（Additional resource）、すなわち、領域３を用いる。
【０１７６】
よって、マッピング方法２（図８Ａ、図９Ａ及び図９Ｂ）は、マッピング方法１（図８Ａ、図８Ｂ）と比較すると、ＰＵＳＣＨにおいて、応答信号によって上り回線データがパンクチャされることによる、上り回線データのオーバーヘッド（上り回線データの伝送品質の劣化）をほぼ同等に削減することができる。
【０１７７】
ただし、マッピング方法１では、上述したように、ＳＣＣで送信された下り割当制御情報を端末２００が全て受信失敗した場合に「基地局１００と端末２００との間の応答信号領域の認識違い」が発生する問題が残っている。つまり、ＳＣＣで送信された下り割当制御情報を端末２００が全て受信失敗した場合、ＳＣＣに対応する応答信号情報のみでなく、ＰＣＣに対応する応答信号情報の受信にも失敗する可能性が高くなる。
【０１７８】
例えば、基地局１００において、応答信号に対してＮＡＣＫをＡＣＫとして誤って受信するエラー（NACK->ACKエラー）又はＤＴＸをＡＣＫとして誤って受信するエラー（DTX->ACKエラー）が発生した場合、物理層ではデータが端末２００に正常に伝送されたと誤認識し、データの再送を停止してしまう。この場合、基地局１００では、上位層のタイマ（Timer）によって再度データの送信が試行されるまでは当該データは端末２００に到達しないという現象が発生する。すなわち、応答信号の誤り率特性（応答信号の受信品質）が劣化すると、データの伝送遅延が大幅に増加してしまう。
【０１７９】
また、上位レイヤのシグナリングは主にＰＣＣを介して行われるので、ＰＣＣで送信されるデータ（上位レイヤの制御情報を含むデータ）の伝送遅延が増加することは許されない。また、上述したように、基地局１００は、Non-Carrier aggregation assignmentによる通信を行う際には、ＰＣＣ（基本単位バンド）を用いる。よって、ＰＣＣで送信されるデータに対する応答信号の誤り率特性（受信品質）は或る一定の品質が保証されなければならない。
【０１８０】
これに対して、マッピング方法２では、端末２００は、ＰＣＣに対応する応答信号情報及びＳＣＣに対応する応答信号情報を別々に符号化し、ＰＵＳＣＨの中の互いに異なる領域にマッピングする。また、端末２００は、ＰＣＣに対応する応答信号情報（ＰＣＣ応答信号シンボルセット）を、各下り単位バンド（ＰＣＣ及びＳＣＣ）の下り割当制御情報の受信状況に依らず（つまり、状態１〜３のいずれにおいても）、常に同一の領域（図８Ａに示す領域Ａ）にマッピングする。
【０１８１】
よって、マッピング方法２によれば、端末２００側においてＳＣＣで送信された下り割当制御情報の受信に全て失敗した場合でも、ＰＣＣに対応する応答信号情報がマッピングされた領域は不変であるので、基地局１００と端末２００との間でＰＣＣに対応する応答信号領域の認識違いは発生しない。すなわち、より重要なデータ（急を要するデータ）の送信に用いられるＰＣＣに対応する応答信号の受信品質劣化を防止することができるので、マッピング方法１よりもシステムスループットが向上する。
【０１８２】
このように、マッピング方法２によれば、複数の下り単位バンドを用いたCarrier aggregationが適用されるＬＴＥ−Ａシステムにおいて、端末が上り回線データと応答信号とを同一のサブフレーム内で同時に送信する場合でも、応答信号によって上り回線データがパンクチャされる状況を削減できるとともに、基地局と端末との間でＰＵＳＣＨ内の特にＰＣＣに対する応答信号領域に関する認識違いを無くすことができる。
【０１８３】
なお、マッピング方法２では、ＳＣＣ応答信号シンボルセットをＰＣＣ応答信号シンボルセットに続けた位置（ＲＥ）にマッピングする場合について説明したが、ＳＣＣ応答信号のマッピングはこれに限定されない。すなわち、ＰＣＣ応答信号シンボルセットがマッピングされる位置（ＲＥ）が不変であれば、例えば、ＳＣＣ応答信号シンボルセットが、他の制御信号（ＣＱＩ、ＲＩ、ＰＭＩ）がマッピングされる位置に続けてマッピングされていてもよく、他の制御信号（例えばＣＱＩ）と纏めて符号化して任意の位置にマッピングされてもよい。
【０１８４】
また、マッピング方法２では、ＰＣＣに対応するＰＣＣ応答信号シンボルセットを、ＰＵＳＣＨ内の「ＰＣＣのみに応じた領域（図９Ｂに示す領域１）」にマッピングするとともに、端末２００に設定された全てのＳＣＣに対応するＳＣＣ応答信号シンボルセットを、ＰＵＳＣＨ内の「端末２００に設定されたＳＣＣの数に応じて決定される領域（図９Ｂに示す領域３）」にマッピングする場合について説明した。しかし、端末２００は、「基地局から端末２００に設定された全ての下り単位バンド数に応じて決定される領域（図８Ｂにおける領域２）」のうちの一部を領域１として用い、領域２のうち領域１以外の領域を領域３として用いてもよい。この場合も、得られる効果は上記と同様である。
【０１８５】
また、マッピング方法２では、状態３の場合（すなわち、ＳＣＣにおいてのみ下り割当制御情報を受信した場合）には、ＰＣＣ応答信号シンボルセットにＮＡＣＫ（又はＤＴＸ）を設定して、図９Ｂに示す領域１にマッピングする場合について説明した。しかし、本発明では、状態３の場合において、ＰＣＣ応答信号シンボルセット自体を生成せず、従って領域１においてデータのパンクチャをしないように制御してもよい（領域１にはデータが配置される）。この動作は、領域１に着目すれば、Carrier aggregation無しで通信時に、端末側で下り割当制御情報を取り損ねた場合と同等の動作となる。この場合、端末側での「ＰＣＣに対応する下り割当制御情報の検出漏れ」を基地局が判断するために、基地局側では「領域１に端末からのＰＣＣ応答信号シンボルセットが配置されているか否か」を検出する動作を行えばよい。こうすることで、データがパンクチャされる量が削減できるため、上り回線データの伝送品質が向上する。
【０１８６】
また、マッピング方法２では、領域３の大きさを端末に設定されたＳＣＣの数に応じて設定し、端末２００に設定された全てのＳＣＣに対応するＳＣＣ応答信号シンボルセットを領域３に配置する場合について説明したが、これに限定されない。例えば、領域３の大きさを、端末２００が受信したＳＣＣに対応する下り割当制御情報の数に応じて設定し、端末２００が受信した下り割当制御情報の数に対応するＳＣＣ応答信号シンボルセットを領域３に配置してもよい。この場合、「基地局１００と端末２００との間の応答信号領域の認識違い」が発生する頻度は、第２の方法（図５Ａ及び図５Ｂ）と同等程度となるが、ＰＣＣに対応する応答信号情報がマッピングされた領域は不変であるので、基地局１００と端末２００との間でＰＣＣに対応する応答信号領域の認識違いは発生しない。すなわち、より重要なデータ（急を要するデータ）の送信に用いられるＰＣＣに対応する応答信号の受信品質劣化を防止する効果は期待できる。
【０１８７】
以上、端末２００における応答信号のマッピング方法１及び２について説明した。
【０１８８】
このように、本実施の形態によれば、複数の下り単位バンドを用いたCarrier aggregationが適用される通信システムにおいて、端末が上り回線データと応答信号とを同一のサブフレーム内で同時に送信する場合でも、複数の応答信号によって上り回線データがパンクチャされる状況を削減できる。更に、本実施の形態によれば、基地局と端末との間で上り回線データ向けに割り当てられたＰＵＳＣＨ内の応答信号領域に関する認識違いを発生しにくくすることができる。
【０１８９】
以上、本発明の各実施の形態について説明した。
【０１９０】
なお、上記実施の形態では、基地局１００の制御部１０１は、下り回線データと当該下り回線データに対する下り割当制御情報とを同一の下り単位バンドにマッピングするよう制御するとしたが、これに限定されない。すなわち、下り回線データと当該下り回線データに対する下り割当制御情報とが別の下り単位バンドにマッピングされていても、下り割当制御情報と下り回線データとの対応関係が明確であれば、各実施の形態で説明した技術を適用できる。この場合、端末２００は、端末２００に設定された複数の単位バンドのうち、ＰＣＣに配置される下り回線データに対応する下り割当制御情報のみを受信した場合には状態１の動作（図８Ａ）を行い、端末２００に設定された複数の単位バンドのうち、ＳＣＣに配置される下り回線データに対応する下り割当制御情報を１つでも受信した場合には状態２又は３の動作（図８Ｂ、図９Ａ又は図９Ｂ）を行えばよい。
【０１９１】
また、上記実施の形態ではアンテナとして説明したが、本発明はアンテナポート（antenna port）でも同様に適用できる。
【０１９２】
アンテナポートとは、１本又は複数の物理アンテナから構成される、論理的なアンテナを指す。すなわち、アンテナポートは必ずしも１本の物理アンテナを指すとは限らず、複数のアンテナから構成されるアレイアンテナ等を指すことがある。
【０１９３】
例えば3GPP LTEにおいては、アンテナポートが何本の物理アンテナから構成されるかは規定されず、基地局が異なる参照信号（Reference signal）を送信できる最小単位として規定されている。
【０１９４】
また、アンテナポートはプリコーディングベクトル（Precoding vector）の重み付けを乗算する最小単位として規定されることもある。
【０１９５】
また、上記実施の形態では、本発明をハードウェアで構成する場合を例にとって説明したが、本発明はハードウェアとの連携においてソフトウェアでも実現することも可能である。
【０１９６】
また、上記実施の形態の説明に用いた各機能ブロックは、典型的には集積回路であるＬＳＩとして実現される。これらは個別に１チップ化されてもよいし、一部又は全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１９７】
また、集積回路化の手法はＬＳＩに限るものではなく、専用回路又は汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用してもよい。
【０１９８】
さらには、半導体技術の進歩又は派生する別技術によりＬＳＩに置き換わる集積回路化の技術が登場すれば、当然、その技術を用いて機能ブロックの集積化を行ってもよい。バイオ技術の適用等が可能性としてありえる。
【０１９９】
２０１０年５月６日出願の特願２０１０−１０６４６１の日本出願に含まれる明細書、図面および要約書の開示内容は、すべて本願に援用される。
【産業上の利用可能性】
【０２００】
本発明は、移動体通信システム等に適用することができる。
【符号の説明】
【０２０１】
１００  基地局
２００  端末
１０１，２０８  制御部
１０２  制御情報生成部
１０３，２１３  符号化部
１０４，２１４  変調部
１０５  符号化部
１０６  データ送信制御部
１０７  変調部
１０８  マッピング部
１０９，２１８  ＩＦＦＴ部
１１０，２１９  ＣＰ付加部
１１１，２２０  無線送信部
１１２，２０１  無線受信部
１１３，２０２  ＣＰ除去部
１１４  ＰＵＳＣＨ分離部
１１５  ＩＤＦＴ部
１１６  応答信号分離部
１１７  応答信号受信部
１１８  復調／復号部
１１９  判定部
１２０  再送制御信号生成部
２０３  ＦＦＴ部
２０４  抽出部
２０５，２０９  復調部
２０６，２１０  復号部
２０７  判定部
２１１  ＣＲＣ部
２１２  ＡＣＫ／ＮＡＣＫ制御部
２１５  符号化／変調部
２１６  応答信号／データ多重部
２１７  ＤＦＴ部
【図１】
0005864797.tif 000002
【図２】
0005864797.tif 000003
【図３】
0005864797.tif 000004
【図４】
0005864797.tif 000005
【図５】
0005864797.tif 000006
【図６】
0005864797.tif 000007
【図７】
0005864797.tif 000008
【図８】
0005864797.tif 000009
【図９】
0005864797.tif 000010